(57)【要約】  媒体を収納する収納カセットと、収納カセットを内部に収納するための内部空間を有する筐体と、底部が開放された装填空間に前記収納カセットを装填させた状態で支持する装填部と、筐体及び装填部に取り付けられ、装填部を筐体の内部空間と外部との間で移動させるスライドレールと、装填部における装填空間の内側に設けられ、収納カセットが装填空間に装填された状態で該収納カセットと電気的に接続するコネクタとを具える媒体処理装置を提供する
2017110833.tif 000002
【特許請求の範囲】
【請求項１】
媒体を収納する収納カセットと、
前記収納カセットを内部に収納するための内部空間を有する筐体と、
底部が開放された装填空間に前記収納カセットを装填させた状態で支持する装填部と、
前記筐体及び前記装填部に取り付けられ、前記装填部を前記筐体の前記内部空間と外部との間で移動させるスライドレールと、
前記装填部における前記装填空間の内側に設けられ、前記収納カセットが前記装填空間に装填された状態で該収納カセットと電気的に接続するコネクタと
を具える媒体処理装置。
【請求項２】
前記装填部は、
前記スライドレールによる該装填部の移動方向と平行な一面側の一面側板と、
前記一面側と反対の他面側に設けられ、前記底部から上端までの長さが前記一面側板よりも長い他面側板と、
前記移動方向と交差する第１交差面側及び第２交差面側にそれぞれ設けられ、前記一面側板及び前記他面側板とそれぞれ連結された第１交差面側板及び第２交差面側板と
をさらに具える請求項１に記載の媒体処理装置。
【請求項３】
前記一面側板、前記他面側板、前記第１交差面側板及び前記第２交差面側板は、それぞれの一部が周囲よりも前記装填空間の外方又は内方へ突出するよう屈曲された補強部を有する
請求項２に記載の媒体処理装置。
【請求項４】
前記一面側板、前記他面側板、前記第１交差面側板及び前記第２交差面側板は、互いに連結された側板同士の間で、前記補強部同士を締結させている
請求項３に記載の媒体処理装置。
【請求項５】
前記装填部は、
前記一面側板、前記他面側板、前記第１交差面側板及び前記第２交差面側板により囲まれる空間を仕切ることにより前記装填空間を仕切り、該一面側板及び該他面側板にそれぞれ締結された１以上の仕切板
をさらに具える請求項２に記載の媒体処理装置。
【請求項６】
前記装填部は、前記装填空間に対し前記収納カセットの位置を決める第１の装填部側位置決め部を有し、
前記収納カセットは、前記第１の装填部側位置決め部と係合する第１のカセット側位置決め部を有する
請求項２に記載の媒体処理装置。
【請求項７】
前記装填部は、前記装填空間の上方から下方へ向けて前記収納カセットが装填され、
前記コネクタは、前記装填部における前記装填空間の下方に配置され、
前記第１の装填部側位置決め部は、前記コネクタと同等の高さに配置される
請求項６に記載の媒体処理装置。
【請求項８】
前記装填部は、前記他面側板に、前記装填空間に対し前記収納カセットの位置を決める第２の装填部側位置決め部が設けられ、
前記収納カセットは、前記第２の装填部側位置決め部と係合する第２のカセット側位置決め部を有する
請求項６に記載の媒体処理装置。
【請求項９】
前記収納カセットは、前記装填部のコネクタと接続するカセット側コネクタを有し、
前記カセット側コネクタ及び前記第１のカセット側位置決め部は、前記収納カセットの外形を形成するカセット筐体の表面よりも内側に凹んだ凹部に配置されている
請求項６に記載の媒体処理装置。
【請求項１０】
前記一面側は、前記装填部に対し作業者により保守作業が行われる場合に該作業者が位置する保守面側であり、
前記他面側は、前記装填部において前記保守面側と反対の非保守面側である
請求項２に記載の媒体処理装置。
【請求項１１】
前記収納カセットの側面には、前記仕切板の上端部と当接して収納位置を規制する突起部が形成されている
請求項５に記載の媒体処理装置。
【請求項１２】
前記突起部は、前記仕切板と当接する平面部と、前記収納カセットの側面から前記平面部の端部に向かって傾斜する傾斜面部とを有する
請求項１１に記載の媒体処理装置。
【請求項１３】
利用者との間で取引する媒体又は取引した媒体を内部に収納する収納カセットと、
前記収納カセットを内部に収納するための内部空間を有する筐体と、
底部が開放された装填空間に前記収納カセットを装填させた状態で支持する装填部と、
前記筐体及び前記装填部に取り付けられ、前記装填部を前記筐体の前記内部空間と外部との間で移動させるスライドレールと、
前記装填部における前記装填空間の内側に設けられ、前記収納カセットが前記装填空間に装填された状態で該収納カセットと電気的に接続するコネクタと
を具える媒体取引装置。
【発明の詳細な説明】
【技術分野】
【０００１】
本開示は媒体処理装置及び媒体取引装置に関し、例えば媒体として紙幣を扱う現金自動預払機に適用することができるものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。【０００３】
現金自動預払機としては、例えば顧客との間で紙幣の授受を行う入出金部と、投入された紙幣の金種、真偽及び正損等を鑑別する鑑別部と、投入された紙幣を一時的に保留する一時保留部と、金種ごとに紙幣を収納する収納カセットとを有するものが提案されている。【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客の操作指示により入金金額が確定されると、一時保留部に保留した紙幣の金種を鑑別部により再鑑別し、その金種に応じた収納カセットへ収納する。【０００５】
また現金自動預払機のなかには、収納カセットに対する紙幣の補充作業や当該収納カセットからの紙幣の回収作業等の効率を高めるべく、複数のスロットを有するカセット装填部を設け、カセット装填部の各スロットに対し収納カセットを１個ずつ装脱可能に構成したものがある。【０００６】
このカセット装填部は、例えば現金自動預払機の筐体に対してスライドレールにより前後方向へ移動させ得るように構成されたものも提案されている（例えば、特開２０１１−１１８６９９号公報（第１図）（特許文献１）参照）。このためカセット装填部は、現金自動預払機が各種取引を行う動作時には筐体内に収納され、保守作業時等には筐体の外部へ引き出される。この引き出された状態において、収納カセットは、カセット装填部の各スロットに装填され、又は取り外される。
【発明の概要】
【発明が解決しようとする課題】
【０００７】
しかしながら、かかる構成の現金自動預払機では、各収納カセットに紙幣の収納や繰出を行うための各種機構が組み込まれ、また各収納カセットに収納される紙幣が例えば数千枚となる。このため各紙幣カセットの合計重量は、例えば３０〜４０ｋｇのように、極めて大きくなる。【０００８】
このためカセット装填部では、このように大きな重量を支えるために、頑強なスライドレールを採用する必要がある。しかしながらこのような頑強なスライドレールを採用する場合、一般的なスライドレールを採用する場合と比較して、強度の確保等の理由によって構成が大型化し、また複雑化してしまう、という問題があった。【０００９】
本開示は以上の点を考慮してなされたもので、構成を簡素化し得る媒体処理装置及び媒体取引装置を提案しようとするものである。
【課題を解決するための手段】
【００１０】
かかる課題を解決するため本発明の一実施形態の媒体処理装置においては、媒体を収納する収納カセットと、収納カセットを内部に収納するための内部空間を有する筐体と、底部が開放された装填空間に収納カセットを装填させた状態で支持する装填部と、筐体及び装填部に取り付けられ、装填部を筐体の内部空間と外部との間で移動させるスライドレールと、装填部における装填空間の内側に設けられ、収納カセットが装填空間に装填された状態で該収納カセットと電気的に接続するコネクタとを設けるようにした。【００１１】
また本発明の一実施形態の媒体取引装置においては、利用者との間で取引する媒体又は取引した媒体を内部に収納する収納カセットと、収納カセットを内部に収納するための内部空間を有する筐体と、底部が開放された装填空間に収納カセットを装填させた状態で支持する装填部と、筐体及び装填部に取り付けられ、装填部を筐体の内部空間と外部との間で移動させるスライドレールと、装填部における装填空間の内側に設けられ、収納カセットが装填空間に装填された状態で該収納カセットと電気的に接続するコネクタとを設けるようにした。【００１２】
本発明一実施形態の媒体取引装置では、スライドレールにより筐体の内部又は外部へ移動される装填部において、装填空間の底部を開放したことにより、該底部を閉塞する場合よりも部材を削減できる。これに加えて本発明は、装填部の底部に設けることができないコネクタを装填空間の内側に設けたことにより、収納カセット側において、筐体の外部にコネクタを配置する必要が無く、該収納カセットを例えば直方体状のような簡素な形状に収めることができる。
【発明の効果】
【００１３】
本発明の実施形態によれば、構成を簡素化し得る媒体処理装置及び媒体取引装置を実現できる。
【図面の簡単な説明】
【００１４】
【図１】現金自動預払機の構成を示す略線的斜視図である。
【図２】紙幣入出金機の構成を示す略線図である。
【図３】搬送部の構成を示す略線図である。
【図４】下部ユニットの引き出しを示す略線図である。
【図５Ａ】下部フレームの構成を示す略線的斜視図である。
【図５Ｂ】下部フレームの構成を示す略線的斜視図である。
【図６】下部フレームの構成部品を示す略線的分解斜視図である。
【図７Ａ】左側板の構成を示す略線図である。
【図７Ｂ】左側板の構成を示す略線図である。
【図８Ａ】左側板における補強部の構成を示す略線的斜視図である。
【図８Ｂ】左側板における補強部の構成を示す略線的斜視図である。
【図８Ｃ】左側板における補強部の構成を示す略線的斜視図である。
【図９Ａ】右側板及び右内側板の構成を示す略線的斜視図である。
【図９Ｂ】右側板及び右内側板の構成を示す略線的斜視図である。
【図９Ｃ】右側板及び右内側板の構成を示す略線的斜視図である。
【図１０Ａ】前側板の構成を示す略線図である。
【図１０Ｂ】前側板の構成を示す略線図である
【図１１】後側板の構成を示す略線的斜視図である。
【図１２】仕切板の構成を示す略線的斜視図である。
【図１３Ａ】紙幣カセット装填空間及び紙幣カセットを示す平面図である。
【図１３Ｂ】紙幣カセット装填空間及び紙幣カセットを示す平面図である。
【図１３Ｃ】紙幣カセット装填空間及び紙幣カセットを示す平面図である。
【図１４Ａ】リジェクトカセット装填空間及びリジェクトカセットを示す平面図である。
【図１４Ｂ】リジェクトカセット装填空間及びリジェクトカセットを示す平面図である。
【図１４Ｃ】リジェクトカセット装填空間及びリジェクトカセットを示す平面図である。
【図１５Ａ】紙幣カセットの構成を示す略線的斜視図である。
【図１５Ｂ】紙幣カセットの構成を示す略線的斜視図である。
【図１６】紙幣カセットの内部構成を示す略線図である。
【図１７】紙幣カセット装填空間に対する紙幣カセットの装填状態を示す略線図である。
【図１８Ａ】リジェクトカセットの構成を示す略線的斜視図である。
【図１８Ｂ】リジェクトカセットの構成を示す略線的斜視図である。
【図１９Ａ】下部フレームの外力による撓み及び剪断を示す略線的平面図である。
【図１９Ｂ】下部フレームの外力による撓み及び剪断を示す略線的平面図である。
【図２０】仮想的な補強部の締結部分における剪断の発生を示す略線図である。
【図２１Ａ】他の実施の形態による補強部の構成を示す略線的斜視図である。
【図２１Ｂ】他の実施の形態による補強部の構成を示す略線的斜視図である。
【図２２Ａ】他の実施の形態による補強部の構成を示す略線的斜視図である。
【図２２Ｂ】他の実施の形態による補強部の構成を示す略線的斜視図である。
【図２３Ａ】他の実施の形態による補強部の構成を示す略線的斜視図である。
【図２３Ｂ】他の実施の形態による補強部の構成を示す略線的斜視図である。
【図２４】他の実施の形態による補強部の構成を示す略線的斜視図である。
【図２５Ａ】他の実施の形態による補強部の構成を示す略線的斜視図である。
【図２５Ｂ】他の実施の形態による補強部の構成を示す略線的斜視図である。
【図２６】他の実施の形態による当て面の構成を示す略線的斜視図である。
【図２７】他の実施の形態による当て面の構成を示す側面図である。
【図２８Ａ】他の実施の形態による当て面の構成を示す平面図である。
【図２８Ｂ】他の実施の形態による当て面の構成を示す平面図である。
【発明を実施するための形態】
【００１５】
以下、発明を実施するための形態（以下実施の形態とする）について、図面を用いて説明する。
【００１６】
［１．現金自動預払機及び紙幣入出金機の構成］
図１に外観を示すように、現金自動預払機１は、箱状の筐体２を中心に構成されており、例えば金融機関等に設置され、利用者（すなわち金融機関の顧客）との間で入金取引や出金取引等の現金に関する取引を行う。
【００１７】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになっており、カード入出口４、入出金口５、操作表示部６、テンキー７、及びレシート発行口８が設けられている。
【００１８】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される。また入出金口５は、シャッタを駆動することにより開放又は閉塞する。因みに紙幣は、例えば長方形の紙により、紙葉状に形成されている。
【００１９】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２０】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２１】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等に関する種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２２】
紙幣入出金機１０は、図２に側面図を示すように、紙幣入出金機筐体１１の内部に媒体としての紙幣に関する種々の処理を行う複数の部分が組み込まれている。紙幣入出金機１０は、大きく分けて、紙幣入出金機筐体１１における上下方向のほぼ中央よりも上側部分を占める上部ユニット１０Ｕと、その下側部分を占める下部ユニット１０Ｌとにより構成されている。
【００２３】
上部ユニット１０Ｕには、全体を統括制御する紙幣制御部１２、顧客との間で紙幣を授受する入出金部１３、紙幣を各部へ搬送する搬送部１４、紙幣を鑑別する鑑別部１５及び紙幣を一時的に収納する一時保留部１６が設けられている。一方、下部ユニット１０Ｌは、５個の紙幣カセット１７（１７Ａ、１７Ｂ、１７Ｃ、１７Ｄ及び１７Ｅ）並びにリジェクトカセット１８が、後側から前側へ向けて順次整列するように設けられている。
【００２４】
紙幣制御部１２は、図示しないＣＰＵと、ＲＯＭ、ＲＡＭ及びフラッシュメモリ等でなる記憶部とにより構成されている。このうちＣＰＵは、記憶部から各種プログラムを読み出して実行することにより、種々の処理を行う。記憶部のうち不揮発性のＲＯＭやフラッシュメモリは、基本プログラムの他、入金計数プログラム、入金収納プログラムや出金プログラムといった種々のプログラムが記憶されている。記憶部のうち揮発性のＲＡＭは、ＣＰＵのワークエリアとして用いられる他、各種情報を一時的に記憶する。例えば紙幣制御部１２は、記憶部から入金計数プログラムを読み出し、これをＣＰＵにおいて実行することにより、顧客との間で入金取引を行う入金取引処理を実行する。
【００２５】
入出金部１３（図２）は、上部ユニット１０Ｕ内における前上部に位置している。この入出金部１３は、顧客から受け取った紙幣及び顧客へ引き渡す紙幣を収容する収容器１３Ａを内部に有しており、その上方をシャッタ１３Ｂにより開放又は閉塞する。因みに収容器１３Ａは、最大で約２００枚の紙幣を収容できる。またシャッタ１３Ｂは、筐体２に設けられた入出金口５（図１）のシャッタと連動して開放又は閉塞する。
【００２６】
この入出金部１３は、入金取引等において顧客により収容器１３Ａ内に紙幣が投入されると、シャッタ１３Ｂを閉塞した後、収容器１３Ａ内の紙幣を１枚ずつに分離し、搬送部１４に順次引き渡す。また入出金部１３は、出金取引等において搬送部１４により搬送されてくる紙幣を順次受け取り、収容器１３Ａ内に順次放出して集積させた後、シャッタ１３Ｂを開放して顧客に受け取らせる。
【００２７】
搬送部１４は、上部ユニット１０Ｕ内における下端部分に位置しており、全体的に上下方向に薄く前後方向に細長い形状となっている。この搬送部１４内には、紙幣を案内する搬送ガイドや多数の回転するローラ等が適宜配置されており、紙幣の短辺を進行方向に沿わせて、主に前後方向へ搬送させるような直線状の搬送路が形成されている。
【００２８】
搬送部１４は、図３に拡大図を示すように、大きく分けて、中央付近に配置された一時保留切替部２０と、当該一時保留切替部２０の前側及び後側にそれぞれ配置された前搬送部２１及び後搬送部２２とにより構成されている。一時保留切替部２０は、いわゆる３ウェイの切替となっており、紙幣制御部１２の制御に基づき、前搬送部２１、後搬送部２２及び一時保留部１６の間で紙幣を搬送するよう、紙幣の搬送経路を３通りに切り替える。  
【００２９】
また搬送部１４内には、一時保留切替部２０の他に複数の切替部が配置されている。各切替部は、回動可能なブレード（図中に三角形で示す）及びその周囲に配置された回転可能な複数のローラ（図示せず）により構成されている。この切替部は、紙幣制御部１２の制御に従い、各紙幣の搬送先に応じてブレードの傾斜方向を変化させると共に各ローラを所定の回転方向へ回転させることにより、紙幣の搬送方向を適宜切り替えて所望の搬送先へ搬送する。
【００３０】
前搬送部２１内には、前方から順に、リジェクト切替部２４、鑑別部１５及び切替部２５が直列に配置されており、全体として前後方向に沿った概ね直線状の前搬送路２１Ｙが形成されている。リジェクト切替部２４及び切替部２５は、それぞれ紙幣制御部１２の制御に基づいて紙幣の搬送経路を適宜切り替えることにより、前搬送路２１Ｙとリジェクト切替部２４又は紙幣カセット１７Ａとの間で紙幣を搬送させる。
【００３１】
後搬送部２２内には、前方から順に、切替部２６、２７及び２８がほぼ直列に配置されており、全体として前後方向に沿った概ね直線状の後搬送路２２Ｙが形成されている。切替部２６〜２８は、それぞれ紙幣制御部１２の制御に基づいて紙幣の搬送経路を適宜切り替えることにより、後搬送路２２Ｙと紙幣カセット１７Ｂ、１７Ｃ、１７Ｄ又は１７Ｅとの間で紙幣を搬送させる。また前搬送部２１及び後搬送部２２は、それぞれの搬送路中に数枚程度の紙幣を貯留できる。
【００３２】
鑑別部１５（図２及び図３）は、前搬送部２１内に組み込まれており、前搬送路２１Ｙ上で入出金部１３と一時保留切替部２０との間に位置している。この鑑別部１５は、内部に厚みセンサ、イメージセンサ及び磁気センサといった複数種類のセンサが組み込まれており、各センサにより各紙幣から種々の情報を読み取り、得られた情報（以下これを読取情報と呼ぶ）を紙幣制御部１２（図２）へ供給する。
【００３３】
これに応じて紙幣制御部１２は、各紙幣の状態を判定し、当該紙幣が正常であり受入可能であるか、或いは異常であり利用者に返却すべきであるかを決定する。具体的に紙幣制御部１２は、得られた読取情報を基に、各紙幣における搬送状態並びに金種や損傷の程度、或いは真偽等を判定し、このときの判定結果を基に各紙幣の搬送先を決定して、搬送部１４の各切替部や各搬送路における搬送動作を制御する。
【００３４】
一時保留部１６（図２）は、いわゆるテープエスクロ方式を採用しており、円筒状のドラムの周側面に紙幣をテープと共に巻き付けることで当該紙幣を一時的に貯留し、またこの周側面から当該テープを引き剥がすことで紙幣を繰り出す。
【００３５】
収納カセットとしての紙幣カセット１７（１７Ａ〜１７Ｅ）は、何れも同様に構成されており、上下方向に長い直方体状に形成され、内部に紙幣を集積して収納する。また各紙幣カセット１７は、それぞれ収納すべき紙幣の金種が予め設定されている。この紙幣カセット１７は、鑑別部１５及び紙幣制御部１２により損傷の程度が小さく再利用が可能であると判定された紙幣が、その金種に応じて搬送部１４により搬送されてくると、当該紙幣を内部に集積して収納する。また紙幣カセット１７は、紙幣制御部１２から紙幣を繰り出す指示を受け付けると、集積している紙幣を１枚ずつに分離して繰り出し、搬送部１４に引き渡す。
【００３６】
リジェクトカセット１８は、上下方向に長い直方体状に形成されると共に内部に紙幣を集積して収納する空間を有している。このリジェクトカセット１８は、鑑別部１５及び紙幣制御部１２により損傷の程度が大きく再利用すべきで無いと判定された紙幣（いわゆるリジェクト紙幣）が搬送部１４により搬送されてくると、当該紙幣を内部に収納する。
【００３７】
［２．入金処理及び出金処理］
次に、現金自動預払機１により利用者（金融機関の顧客）との間で入金取引及び出金取引が行われる場合における、紙幣入出金機１０内での入金処理及び出金処理について説明する。このうち入金処理については、前段の入金計数処理と、後段の入金収納処理に分けて説明する。
【００３８】
［２−１．入金計数処理］
紙幣入出金機１０は、入金処理において、紙幣制御部１２の制御に基づき、先に入金された紙幣の金種等を鑑別しながら枚数を計数する入金計数処理を行い、次に紙幣を適切な収納箇所へ搬送して収納する入金収納処理を行うようになっている。
【００３９】
具体的に紙幣制御部１２は、例えば顧客により操作表示部６（図１）を介して入金処理を開始する旨の操作入力を受け付けると、入金計数処理を開始し、入出金部１３の内部へ紙幣を投入させて１枚ずつに分離し、搬送部１４へ順次引き渡す。
【００４０】
搬送部１４は、入出金部１３から受け取った紙幣をリジェクト切替部２４及び前搬送部２１により後方へ順次搬送し、前搬送路２１Ｙに沿って後方へ進行させながら、鑑別部１５により各紙幣を順次鑑別し、後側の一時保留切替部２０へ順次引き渡す。このとき鑑別部１５は、得られた鑑別結果を紙幣制御部１２へ送出する。
【００４１】
紙幣制御部１２は、取得した鑑別結果を基に、各紙幣における損傷の程度や金種、或いは真偽を判断する。次に紙幣制御部１２は、各紙幣について、正常な紙幣として認識できた場合は以降の処理を継続できる入金受入紙幣であると判断し、正常な紙幣として認識できない場合は、一度顧客に返却すべき入金リジェクト紙幣であると判断する。さらに紙幣制御部１２は、入金受入紙幣について、正常であり再利用可能な紙幣については金種ごとの各紙幣カセット１７を、損傷の程度が大きいリジェクト紙幣についてはリジェクトカセット１８を、それぞれ最終的な搬送先として決定し、記憶しておく。
【００４２】
続いて紙幣制御部１２は、紙幣の判断結果に応じて一時保留切替部２０による紙幣の搬送先を切り替えることにより、入金受入紙幣を一時保留部１６へ搬送して収納させ、また入金リジェクト紙幣を後搬送部２２内へ進行させて後搬送路２２Ｙ内に貯留させる。やがて紙幣制御部１２は、入出金部１３から全ての紙幣を取り込み終えると、後搬送部２２の後搬送路２２Ｙ内に入金リジェクト紙幣が貯留されていれば、これを顧客に返却し、必要に応じて再投入させる。
【００４３】
一方、紙幣制御部１２は、後搬送部２２の後搬送路２２Ｙ内に入金リジェクト紙幣が貯留されていなければ、入金計数処理を完了する。このとき紙幣制御部１２は、入出金部１３から取り込んだ紙幣の金種及び枚数の集計結果を基に入金額を算出すると共に、所定の操作指示画面を操作表示部６に表示し、この入金額を顧客に提示すると共に入金処理を継続するか否かを顧客に選択させる。ここで紙幣制御部１２は、顧客により入金処理の中止が指示された場合、一時保留部１６に保留している全ての紙幣を搬送部１４により入出金部１３へ搬送して顧客に返却する。
【００４４】
このように紙幣入出金機１０は、入金計数処理において、顧客から入金された紙幣を一時保留部１６内に収納するようになっている。
【００４５】
［２−２．入金収納処理］
紙幣制御部１２は、顧客により入金処理の継続が指示された場合、入金収納処理を開始する。具体的に紙幣制御部１２は、まず一時保留部１６において操出処理を開始し、収納している紙幣（入金受入紙幣）を順次繰り出し、一時保留切替部２０へ受け渡す。
【００４６】
このとき紙幣制御部１２は、入金計数処理において決定された紙幣毎の搬送先に応じて、一時保留切替部２０による紙幣の搬送経路を切り替える。具体的に一時保留切替部２０は、紙幣の搬送先がリジェクトカセット１８又は紙幣カセット１７Ｅであれば、当該紙幣を前搬送部２１へ受け渡す。また一時保留切替部２０は、紙幣の搬送先が紙幣カセット１７Ａ〜１６Ｄであれば、当該紙幣を後搬送部２２へ受け渡す。
【００４７】
さらに紙幣制御部１２は、各紙幣の搬送先に応じて前搬送部２１及び後搬送部２２の各切替部を適宜制御することにより、再利用すべき通常の紙幣を金種ごとに分類して各紙幣カセット１７に収納させ、また再利用すべきで無いリジェクト紙幣をリジェクトカセット１８に収納させる。
【００４８】
このように紙幣入出金機１０は、入金収納処理において、一時保留部１６に収納していた紙幣を紙幣カセット１７又はリジェクトカセット１８へ搬送して収納させる。
【００４９】
［２−３．出金処理］
紙幣入出金機１０は、出金処理において、紙幣制御部１２の制御に基づき、指定された金額に応じた金種及び枚数の紙幣を出金する出金処理を行うようになっている。以下では、紙幣カセット１７Ａ〜１７Ｄに収納されている紙幣を出金する場合を例に説明する。
【００５０】
紙幣制御部１２は、顧客から操作表示部６（図１）を介して出金額を含む所定の操作入力を受け付け、出金額に応じた紙幣の金種及び枚数を決定する。続いて紙幣制御部１２は、決定した金種及び枚数に応じて、各紙幣カセット１７内に収納されている紙幣を順次繰り出し、搬送部１４に順次受け渡す。
【００５１】
搬送部１４は、前搬送部２１内を前方へ向けて進行する紙幣の走行状態を鑑別部１５により鑑別し、その鑑別結果を紙幣制御部１２（図２）へ送出する。紙幣制御部１２は、紙幣の走行状態に応じてリジェクト切替部２４を切り替え、当該走行状態に問題が無ければ入出金部１３へ進行させ、例えば重送のように搬送状態に問題があればリジェクトカセット１８へ進行させて、それぞれ紙幣を収納させる。やがて紙幣制御部１２は、出金額に応じた全ての紙幣を入出金部１３へ搬送し終えると、顧客に取り出させる。
【００５２】
［３．下部ユニットの構成］
下部ユニット１０Ｌは、周側面が頑強な金庫筐体３０により覆われている。この金庫筐体３０は、その内部に直方体状の内部空間３０Ｓを形成している。因みに金庫筐体３０の後面は、開閉可能な扉（図示せず）により閉塞又は開放されるようになっている。また金庫筐体３０の上面には、紙幣を通過させるための通過孔が適宜設けられており、搬送部１４の各搬送路と紙幣カセット１７又はリジェクトカセット１８との間で紙幣を受け渡し得るようになっている。
【００５３】
金庫筐体３０の内部には、５個の紙幣カセット１７及びリジェクトカセット１８を保持する下部フレーム３１が設けられている。装填部としての下部フレーム３１は、金庫筐体３０に対し、前後方向に伸縮するスライドレール３２を介して、前後方向へ移動可能に取り付けられている。説明の都合上、以下では前後方向を移動方向とも呼ぶ。
【００５４】
このため下部フレーム３１は、金庫筐体３０内に収納された状態（図２）から後方へ移動されると、図４に示すように、当該金庫筐体３０から後方に引き出された状態となる。また下部フレーム３１は、この後方に引き出された状態から前方へ移動されると、再び収納された状態（図２）に戻る。
【００５５】
図５Ａ及び５Ｂに示すように、下部フレーム３１は、紙幣カセット１７を装填するための紙幣カセット装填空間３１ＳＢを前後方向に沿って５個整列させるように形成している。また下部フレーム３１は、最も前側に位置する紙幣カセット装填空間３１ＳＢの前側に、リジェクトカセット１８を装填するためのリジェクトカセット装填空間３１ＳＲを形成している。各紙幣カセット装填空間３１ＳＢ及びリジェクトカセット装填空間３１ＳＲ（以下、両者をまとめてカセット装填空間３１Ｓと呼ぶ）における上面及び下面は、何れも開放されている。
【００５６】
また下部フレーム３１は、上下方向の長さが紙幣カセット１７及びリジェクトカセット１８よりも短くなっている（図５Ａ）。このため下部フレーム３１は、各カセット装填空間３１Ｓに対し、上方から紙幣カセット１７又はリジェクトカセット１８を装填させ、該紙幣カセット１７又はリジェクトカセット１８を上下にはみ出させた状態で保持する。
【００５７】
この下部フレーム３１は、図６に模式的な分解斜視図を示すように、全体として左側板３３、右側板３４、前側板３５及び後側板３６により、５個分の紙幣カセット装填空間３１ＳＢの周囲を囲んだ構成となっている。前側板３５及び後側板３６の間には、４枚の仕切板３７が等間隔に配置されている。各仕切板３７は、その左端及び右端が左側板３３及び右側板３４にそれぞれ固定されている。
【００５８】
すなわち下部フレーム３１は、左側板３３、右側板３４、前側板３５及び後側板３６により前後方向に長い空間を形成し、これを４枚の仕切板３７によって５個の紙幣カセット装填空間３１ＳＢに仕切っている。
【００５９】
また右側板３４における左側、すなわち各紙幣カセット装填空間３１ＳＢ内における右側面部分には、それぞれ右内側板３８が取り付けられている。さらに前側板３５の前側には、リジェクトカセット装填空間３１ＳＲを形成するためのリジェクト装填部３９が設けられている。
【００６０】
因みに下部フレーム３１は、右側板３４の上端よりも左側板３３の上端の方が低くなっている。これは、下部フレーム３１において、作業者等により種々の操作や作業等（以下これを保守作業と呼ぶ）が行われる場合に、該作業者等が該下部フレーム３１の左側に位置することが想定され、該作業者等による紙幣カセット１７の装填や取り出し等の作業効率を高めることを意図したものである。このため以下では、下部フレームの左側及び右側を、それぞれ保守面側及び非保守面側とも呼ぶ。また以下では、説明の都合上、左側及び右側をそれぞれ一面側及び他面側とも呼び、前側及び後側をそれぞれ第１交差面側及び第２交差面側とも呼ぶ。
【００６１】
［３−１．左側板の構成］
一面側板としての左側板３３は、図５Ａ、５Ｂ及び図６に示したように、全体として左右方向に薄く前後方向に長い板状に形成されている。この左側板３３は、例えば薄板状の金属材料が、前後方向に沿った複数の屈曲線において、前後方向から見てクランク状に屈曲されることにより製造される。これにより左側板３３は、図５Ａ、５Ｂ及び図６と異なる方向から見た部分的な斜視図である図７Ａに示すように、大きく分けて、上側の上板状部４１、中程の補強部４２及び下側の下板状部４３を構成している。
【００６２】
因みに左側板３３は、図５Ａ、５Ｂ及び図６に示したように、前後方向に関し、５箇所の紙幣カセット装填空間３１ＳＢに相当する範囲において、上板状部４１、補強部４２及び下板状部４３が何れも形成されている。その一方で左側板３３は、リジェクトカセット装填空間３１ＳＲに相当する範囲において、上板状部４１及び下板状部４３が省略され、補強部４２のみが形成されている。
【００６３】
上板状部４１は、概ね平板状に形成されているものの、その上端近傍が左側へ、すなわち紙幣カセット装填空間３１ＳＢ（図５Ｂ）の外側へ折り返される「潰し曲げ」と呼ばれる加工が施されることにより、曲げ部４１Ｂが形成されている。これにより上板状部４１は、その上端を湾曲面として構成すると共に金属板の切断面をその下側に位置させることができるので、作業者の手等が触れた場合の負傷や紙幣カセット１７が当接した場合の損傷等を未然に防止できる。また上板状部４１は、曲げ部４１Ｂが形成されることにより、左右方向に関し強度を高めており、撓みの発生の低減にも寄与している。
【００６４】
補強部４２は、図７Ｂに断面図を示すように、上板状部４１に対し左方へ９０度屈曲された上面部４４、該上面部４４に対し下方へ９０度屈曲された左面部４５、及び該左面部４５に対し右方へ９０度屈曲された下面部４６により構成されている。このため補強部４２は、互いに直交する上面部４４、左面部４５及び下面部４６により、上板状部４１の左側、すなわち紙幣カセット装填空間３１ＳＢ（図５Ｂ）の外側へ突出する位置に、断面が長方形状である補強空間４２Ｓを形成している。因みに下板状部４３は、下面部４６に対し下方へ９０度屈曲されている。また上面部４４及び下面部４６は、左右方向の長さが同等の長さＬ４４となっている。
【００６５】
さらに図８Ａに示すように、補強部４２の左面部４５における後端近傍には、上下方向の中心付近に、左右方向に貫通する固定孔４５Ｈ１が設けられ、その上側及び下側に、左右方向に貫通する位置決め孔４５Ｈ２及び４５Ｈ３が形成されている。このうち固定孔４５Ｈ１及び位置決め孔４５Ｈ２は、何れも所定径の丸孔となっている。一方、位置決め孔４５Ｈ３は、左方向から見て上下方向に長い長方形状の角孔となっている。また上面部４４における後端近傍には、上下方向に貫通する固定孔４４Ｈ１が形成されている。固定孔４４Ｈ１は、左面部４５の固定孔４５Ｈ１と同様、所定径の丸孔となっている。
【００６６】
下板状部４３（図７Ａ、７Ｂ）は、概ね上板状部４１と同様の平板状に形成されており、左右方向の位置が該上板状部４１と同等となっている。この下板状部４３には、周囲よりも右側へ、すなわち紙幣カセット装填空間３１ＳＢ（図５Ｂ）の内側へ向かって隆起した隆起部４７が形成されている。因みに下板状部４３には、１箇所の紙幣カセット装填空間３１ＳＢに対し、２箇所の隆起部４７が前後方向に沿って並ぶように配置されている。
【００６７】
隆起部４７（図７Ａ、７Ｂ）は、その周囲に複数のスリット４８が適宜設けられた上で、「絞り」若しくは「深絞り」と呼ばれる加工技術により形成されている。この隆起部４７は、最も右側へ突出した部分が長方形の平面状に形成されており、この長方形における各辺と下板状部４３における周囲の部分との間に、台形状の傾斜面がそれぞれ形成されている。
【００６８】
このため隆起部４７は、紙幣カセット装填空間３１ＳＢ（図５Ｂ）に紙幣カセット１７（図２等）が装填された場合、該紙幣カセット１７の側面に当接することにより、該紙幣カセット１７が上板状部４１や下板状部４３における平板状の部分に当接し、広範囲に渡り擦り傷等を付けることを回避できる。
【００６９】
［３−２．右側板の構成］
他面側板としての右側板３４（図５Ａ、５Ｂ、図６）は、左側板３３と同様、全体として左右方向に薄く前後方向に長い板状に形成されている。この右側板３４は、やはり左側板３３と同様、例えば薄板状の金属材料が、前後方向に沿った複数の屈曲線において、前後方向から見てクランク状に屈曲されることにより製造される。これにより右側板３４は、図５Ａ、５Ｂ及び図６と異なる方向から見た斜視図である図９Ｂに示すように、大きく分けて、上側の上板状部５１、中程の補強部５２及び下側の下板状部５３を形成している。
【００７０】
因みに右側板３４は、左側板３３と同様、図５Ａ、５Ｂ及び図６に示したように、前後方向に関し、５箇所の紙幣カセット装填空間３１ＳＢに相当する範囲において、上板状部５１、補強部５２及び下板状部５３が何れも形成されている。その一方で右側板３４は、リジェクトカセット装填空間３１ＳＲに相当する範囲において、上板状部５１及び下板状部５３が省略され、補強部５２のみが形成されている。
【００７１】
上板状部５１は、左側板３３の上板状部４１と概ね左右対称に形成されているものの、図９Ｃに示すように、上下方向の長さＬ５１が、該上板状部４１における上下方向の長さＬ４１（図７Ｂ）よりも長くなっている。また上板状部５１の上端近傍は、右側、すなわち紙幣カセット装填空間３１ＳＢ（図５Ｂ）の外側へ折り返される「潰し曲げ」の加工が施され、曲げ部５１Ｂが形成されている。
【００７２】
補強部５２は、左側板３３の補強部４２と概ね左右対称に構成されており、上板状部５１に対し右方へ９０度屈曲された上面部５４、該上面部５４に対し下方へ９０度屈曲された右面部５５、及び該右面部５５に対し左方へ９０度屈曲された下面部５６により構成されている。このため補強部５２は、互いに直交する上面部５４、右面部５５及び下面部５６により、上板状部５１の右側、すなわち紙幣カセット装填空間３１ＳＢ（図５Ｂ）の外側へ突出する位置に、断面が長方形状である補強空間５２Ｓを形成している。因みにこの補強空間５２Ｓ内には、後述する配線材が配置される。
【００７３】
補強部５２における上下方向の長さＬ５２は、左側板３３における補強部４２（図７Ｂ）の長さＬ４２とほぼ同等となっている。その一方で、上面部５４における左右方向の長さＬ５４は、左側板３３における上面部４４の長さＬ４４よりも長くなっている。このため補強空間５２Ｓの断面積は、補強空間４２Ｓの断面積よりも大きくなっている。因みに下面部５６における長さＬ５６は、上面部５４における長さＬ５４よりもやや短くなっている。また補強部５２における上面部５４及び右面部５５の後端近傍には、補強部４２の場合と同様に、複数の孔部（図示せず）が設けられている。
【００７４】
下板状部５３は、上板状部５１と同様の平板状に形成された下右面部５７と、該下右面部５７の下端近傍が左方向へ屈曲されてなる底面部５８とにより構成されている。図９Ｃに示したように、底面部５８における左端の左右方向に関する位置は、上板状部５１とほぼ同等となっている。すなわち下右面部５７は、上板状部５１よりも右側に位置している。因みに下板状部５３の長さＬ５３は、左側板３３における下板状部４３の長さＬ４３（図７Ｂ）と同等となっている。
【００７５】
［３−３．右内側板の構成］
右側板３４（図５Ａ、５Ｂ、図６）の左側には、紙幣カセット装填空間３１ＳＢごとに、右内側板３８が取り付けられている。右内側板３８は、図９Ａに示すように、平板状の基板部６１に対し、位置決め突部６２、当接突部６３及び６４がそれぞれ設けられた構成となっている。この右内側板３８は、例えば所定の樹脂材料による成型部品として製造される。
【００７６】
基板部６１は、全体として左右方向に薄い板状に形成される。基板部６１の上面は、右側が高く左側が低い傾斜面となっている。第２の装填部側位置決め部としての位置決め突部６２は、基板部６１の左側面における中央よりもやや後寄りとなる位置に配置され、全体として上下方向に細長い棒状に形成されており、該基板部６１の左側面よりも左方向へ所定長さだけ突出している。位置決め突部６２の上端及び下端は、左方向から見てそれぞれ半円状に形成されている。
【００７７】
当接突部６３は、基板部６１における前後方向の中央付近に配置されており、該基板部６１の上面から左側面に渡り、周囲よりも僅かに左方向へ突出している。当接突部６３における前後方向の長さ及び左方向への突出長さは、位置決め突部６２よりも十分に小さくなっている。当接突部６４は、当接突部６３の前側であって該当接突部６３からやや離れた箇所に設けられており、該当接突部６３とほぼ同様の形状となっている。
【００７８】
［３−４．前側板の構成］
第１交差面側板としての前側板３５は、図５Ａ、５Ｂ及び図６と異なる方向から見た斜視図である図１０Ａに示すように、全体として前後方向に薄い板状に形成されており、長方形における左上部分が切り落とされたような形状、すなわち右辺よりも左辺が短い台形状となっている。この前側板３５は、左側板３３及び右側板３４と同様、例えば薄板状の金属材料が、左右方向に沿った複数の屈曲線において、左右方向から見てクランク状に屈曲されることにより製造される。これにより前側板３５は、左側板３３等と同様に、大きく分けて、上側の上板状部７１、中程の補強部７２及び下側の下板状部７３を形成している。  
【００７９】
上板状部７１は、概ね平板状に形成されており、その上端近傍が前側へ、すなわち紙幣カセット装填空間３１ＳＢ（図５Ｂ）の外側へ折り返され、曲げ部７１Ｂが形成されている。また上板状部７１における左寄り及び右寄りの２箇所、並びに下板状部７３における左右の中央付近の１箇所には、それぞれ後隆起部７７が形成されている。後隆起部７７は、上下方向に沿った２本のスリットが互いの上端及び下端の高さを揃えるように形成された上で、この２本のスリットに挟まれた部分に「絞り」若しくは「深絞り」と呼ばれる加工技術が施されることにより、後方へ隆起した形状に形成される。
【００８０】
補強部７２は、図１０Ｂに断面図を示すように、上板状部７１に対し前方へ９０度屈曲された上面部７４、該上面部７４に対し下方へ９０度屈曲された前面部７５、及び該前面部７５に対し後方へ９０度屈曲された下面部７６により構成されている。このため補強部７２は、互いに直交する上面部７４、前面部７５及び下面部７６により、上板状部７１の前側、すなわち紙幣カセット装填空間３１ＳＢ（図５Ａ、５Ｂ）の外側へ突出する位置に、断面が長方形状である補強空間７２Ｓを形成している。
【００８１】
また補強部７２は、図１０Ａに示したように、上板状部７１及び下板状部７３よりも左右方向に長く構成されている。補強部７２における左端近傍は、上板状部７１及び下板状部７３の左端よりも左方向へ突出している。これと同様に補強部７２における右端近傍は、上板状部７１及び下板状部７３の右端よりも右方向へ突出している。
【００８２】
さらに補強部７２には、前面部７５の左端及び右端に、後方へ向けて左面部７８及び右面部７９がそれぞれ垂設されている。左面部７８は、比較的小さい長方形の板状に形成されており、上下方向の中心付近に、左右方向に貫通する固定孔７８Ｈ１が穿設されている。
【００８３】
固定孔７８Ｈ１の上側及び下側には、周囲よりも左方向へ突出した位置決め突起７８Ｐ１及び７８Ｐ２がそれぞれ設けられている。位置決め突起７８Ｐ１及び７８Ｐ２は、左面部７８を構成する板状部分に対し「打ち出し」若しくは「ハーフパンチ」と呼ばれる加工技術が施されることにより形成され、何れも扁平な円柱状となっている。また上面部７４における左端近傍には、上下方向に貫通する固定孔７４Ｈ１が設けられている。固定孔７４Ｈ１は、左面部７８の固定孔７８Ｈ１と同様、所定径の丸孔となっている。
【００８４】
右面部７９は、左面部７８と左右対称に構成されている。また上面部７４における右端近傍には、左端近傍と同様の固定孔７４Ｈ２が設けられている。
【００８５】
因みに前側板３５の上板状部７１及び下板状部７３における左端及び右端には、左側板３３及び右側板３４にそれぞれ固定するための固定片（図示せず）が適宜延設されている。この固定片には、固定用の孔が適宜穿設されており、左側板３３又は右側板３４に対し、リベット（図示せず）等により固定される。
【００８６】
［３−５．後側板の構成］
図１１に示すように、第２交差面側板としての後側板３６は、前側板３５（図１０Ａ、１０Ｂ）と概ね前後対称に構成されている。すなわち後側板３６は、大きく分けて、上板状部７１、補強部７２及び下板状部７３とそれぞれ対応する上板状部８１、補強部８２及び下板状部８３により構成されている。補強部８２は、上面部７４、前面部７５及び下面部７６とそれぞれ対応する上面部８４、後面部８５及び下面部８６により構成されている。また前面部７５の左右両端には、左面部７８及び右面部７９とそれぞれ対応する左面部８８および右面部８９が設けられている。
【００８７】
また左面部８８には、固定孔７８Ｈ１、位置決め突起７８Ｐ１及び７８Ｐ２（図１０Ａ）とそれぞれ対応する固定孔８８Ｈ１、位置決め突起８８Ｐ１及び８８Ｐ２がそれぞれ設けられている。また上面部８４には、固定孔７４Ｈ１と対応する固定孔８４Ｈ１が設けられている。因みに右面部８９は、左面部８８と左右対称に形成されている。また上面部８４における右端近傍には、左端近傍と同様の固定孔８４Ｈ２が設けられている。
【００８８】
上板状部８１における左右の中央付近、並びに下板状部８３における前寄り及び後寄りの箇所には、それぞれ前隆起部８７が設けられている。前隆起部８７は、前側板３５の後隆起部７７と前後対称であり、前方へ隆起している。
【００８９】
さらに下板状部８３には、下端近傍における左端近傍部分及び右端近傍部分に、左下支持部９１及び右下支持部９２が設けられている。左下支持部９１は、後側板３６を構成する板状部材の一部が前方へ屈曲され、さらにその前端側部分が下方へ屈曲されることにより、ほぼ水平な上面部９３及びほぼ鉛直な前面部９４が形成されている。上面部９３には、位置決めピン９５が設けられている。第１の装填部側位置決め部としての位置決めピン９５は、全体として上下方向に沿った細長い円柱状であり、その上端近傍が円錐状に形成されている。
【００９０】
右下支持部９２は、左下支持部９１と同様、後側板３６を構成する板状部材の一部が前方へ屈曲され、さらにその前端側部分が下方へ屈曲されることにより、ほぼ水平な上面部９６及びほぼ鉛直な前面部９７が形成されている。因みに上面部９６は、上下方向の位置（すなわち高さ）が左下支持部９１の上面部９３と同等に揃えられている。また前面部９７は、前後方向の位置が左下支持部９１の前面部９４と同等に揃えられている。
【００９１】
上面部９６には、装填部側コネクタ９８が設けられている。この装填部側コネクタ９８は、小さな直方体状に構成されており、絶縁性を有する樹脂により構成されたコネクタ本体部内に、導電性を有する複数の接続端子（図示せず）が組み込まれている。各接続端子は、紙幣制御部１２（図２）との間で電気信号をやり取りする信号線や、電力を供給する電力線等の配線材（図示せず）が接続されている。
【００９２】
因みに後側板３６の上板状部８１及び下板状部８３における左端及び右端には、前側板３５と同様に、左側板３３及び右側板３４にそれぞれ固定するための固定片（図示せず）が適宜延設されている。
【００９３】
［３−６．仕切板の構成］
図１２に示すように、仕切板３７は、全体として前後方向に薄い板状に形成されており、前側板３５及び後側板３６と同様に、長方形における左上部分が切り落とされたような形状、すなわち右辺よりも左辺が短い台形状となっている。ただし仕切板３７は、前側板３５（図１０Ａ、１０Ｂ）及び後側板３６（図１１）のような補強部が形成されておらず、上端から下端まで１枚の連続した板状となっている。
【００９４】
仕切板３７の上端は、前側板３５（図１０Ａ、１０Ｂ）と同様、前方へ折り返されている。また仕切板３７における上端からやや下側には、前方へ突出した上隆起部１０１が設けられている。この上隆起部１０１は、「絞り」又は「深絞り」と呼ばれる加工により、該上端とほぼ平行に、すなわち水平方向に対して右側が高くなるよう傾斜した直線状に形成されている。また上隆起部１０１の頂上部分、すなわち最も前方へ突出した部分は、上端の折り返された部分よりも前方へ突出している。
【００９５】
仕切板３７における、上側の左寄り及び右寄り、並びに下側の左右中央付近の合計３箇所には、前側板３５（図１０Ａ、１０Ｂ）と同様に、後方へ隆起した後隆起部７７が形成されている。すなわち仕切板３７における後隆起部７７の位置は、前側板３５（図１０Ａ、１０Ｂ）における後隆起部７７の位置とほぼ同等となっている。
【００９６】
仕切板３７における、上側の左右中央付近、並びに下側の左寄り及び右寄りの合計３箇所に、後側板３６（図１１）と同様に、前方へ隆起した前隆起部８７が形成されている。すなわち仕切板３７における前隆起部８７の位置は、後側板３６（図１１）における前隆起部８７の位置とほぼ同等となっている。
【００９７】
また仕切板３７には、下端近傍における左端近傍部分及び右端近傍部分に、後側板３６（図１１）と同様に構成された左下支持部９１及び右下支持部９２が設けられている。すなわち左下支持部９１は、上面部９３、前面部９４及び位置決めピン９５を有している。また右下支持部９２は、上面部９６、前面部９７及び装填部側コネクタ９８を有している。
【００９８】
因みに仕切板３７の左端及び右端には、前側板３５及び後側板３６と同様、左側板３３及び右側板３４にそれぞれ固定するための固定片（図示せず）が適宜延設されている。
【００９９】
［３−７．リジェクト装填部の構成］
リジェクト装填部３９（図６）は、主に前側に位置する前側板１２１、左側に位置する左側板１２２及び右側に位置する右側板１２３により構成されており、後側、上側及び下側が開放されている。前側板１２１は、複数の部材の組合せにより中空の直方体状に形成されており、その内部にセンサや配線材等の種々の部品が収納される。このリジェクト装填部３９は、図５Ｂに示したように、前側板３５の前側に取り付けられることにより、リジェクトカセット装填空間３１ＳＲを形成する。
【０１００】
左側板１２２及び右側板１２３は、それぞれ薄板状の金属板が加工されることにより構成されている。左側板１２２の右側、すなわちリジェクトカセット装填空間３１ＳＲの内側には、１個の位置決め突起１２４が設けられている。また右側板１２３の左側、すなわちリジェクトカセット装填空間３１ＳＲの内側には、２個の位置決め突起１２５及び１２６が設けられている。因みに位置決め突起１２４、１２５及び１２６は、何れも「絞り」又は「深絞り」と呼ばれる加工技術により形成されている。
【０１０１】
また前側板３５の前面における下端近傍には、小さい直方体状に形成された下支持部１２７が取り付けられる。この下支持部１２７は、前側板３５に対し、後側板３６（図１１）の右下支持部９２と同様、前方へ隆起した状態となる。下支持部１２７の上面には、やはり右下支持部９２と同様に、装填部側コネクタ９８と対応する装填部側コネクタ１２８が設けられている。
【０１０２】
［３−８．下部フレームの製造］
ところで下部フレーム３１は、その製造時に、図５Ａ、５Ｂ及び図６に示したように、左側板３３及び右側板３４に対し、前側板３５及び後側板３６が取り付けられる。このとき下部フレーム３１は、例えば左後の左側板３３に後側板３６を取り付ける部分において、後側板３６の上板状部８１及び８３に適宜設けられた固定片（図示せず）を後側板３６の後端近傍に重ねた状態で、図示しないリベットにより締結される。
【０１０３】
また下部フレーム３１は、図８Ｂに示すように、左側板３３の補強部４２における補強空間４２Ｓ内に後側板３６の補強部８２を入り込ませ、後側板３６の左面部８８を左側板３３の左面部４５と重ねた状態とし、さらに位置決め孔４５Ｈ２及び４５Ｈ３に位置決め突起８８Ｐ１及び８８Ｐ２をそれぞれ挿入させる。
【０１０４】
ここで位置決め孔４５Ｈ２は、その孔径が、位置決め突起８８Ｐ１の外径とほぼ同等ないし僅かに大きくなっている。このため位置決め孔４５Ｈ２は、挿入された位置決め突起８８Ｐ１の前後方向及び上下方向に関する位置を定めて、これらの方向への移動を規制する。
【０１０５】
また位置決め孔４５Ｈ３は、前後方向に関する孔の長さが、位置決め突起８８Ｐ１の外径とほぼ同等ないし僅かに大きくなっている。このため位置決め孔４５Ｈ３は、挿入された位置決め突起８８Ｐ２の前後方向に関する位置を定めて、位置決め孔４５Ｈ２を中心とした補強部８２の回転を規制する。
【０１０６】
すなわち位置決め孔４５Ｈ２及びＨ３は、位置決め突起８８Ｐ１及びＰ２がそれぞれ挿入されることにより、左側板３３の補強部４２に対する、後側板３６の補強部８２の前後方向及び上下方向に関する位置を定めることができる。このとき下部フレーム３１は、左方向から見て固定孔４５Ｈ１及び固定孔８８Ｈ１の位置を一致させており、且つ上方向から見て固定孔４４Ｈ１及び固定孔８４Ｈ１の位置も一致させている。
【０１０７】
この状態で下部フレーム３１は、図８Ｃに示すように、固定孔４５Ｈ１及び固定孔８８Ｈ１を貫通するようにリベットＲが挿通され、圧着工具等により圧着される（すなわち、かしめられる）。これにより下部フレーム３１は、左側板３３の補強部４２における左面部４５と、後側板３６の補強部８２における左面部８８とを、互いに位置決めした状態で強固に締結できる。
【０１０８】
また下部フレーム３１は、固定孔４４Ｈ１及び固定孔８４Ｈ１を貫通するようにリベットＲが挿通されてかしめられる。これにより下部フレーム３１は、左側板３３の補強部４２における上面部４４と、後側板３６の補強部８２における上面部８４とを、互いに離れないように固定することができる。
【０１０９】
また下部フレーム３１は、左前、右後及び右前の各部分においても、左後部分と同様に、上板状部同士及び下板状部同士がそれぞれ固定され、各位置決め突起を各位置決め孔に挿入させた上で、各固定孔にリベットが挿通され、かしめられる。これにより下部フレーム３１は、５箇所の紙幣カセット装填空間３１ＳＢを囲むようにして、前後左右の各側板における補強部同士を互いに締結することができる。
【０１１０】
これに加えて下部フレーム３１には、左側板３３及び右側板３４の間に４枚の仕切板３７が取り付けられ、５箇所の紙幣カセット装填空間３１ＳＢそれぞれにおける右側板３４の内側（左側）に右内側板３８が取り付けられ、さらに前側板３５の前側にリジェクト装填部３９及び下支持部１２７が取り付けられる。
【０１１１】
また下部フレーム３１は、装填部側コネクタ９８及び１２８に電力や各種電気信号を送受信するための配線材等が、右側板３４及び右内側板３８の間や、右側板３４（図９Ｂ、９Ｃ）における補強部５２の内側等を通るように取り付けられる。かくして下部フレーム３１は、図５Ｂに示した状態となる。
【０１１２】
ところで下部フレーム３１は、１箇所の紙幣カセット装填空間３１ＳＢを上側から見下ろした様子を表す図１３Ａに示すように、仕切板３７又は後側板３６の左下支持部９１及び右下支持部９２と、右内側板３８の位置決め突部６２とを、内側へ大きく突出させた状態となっている。また下部フレーム３１は、左側板３３の隆起部４７、右内側板３８の当接突部６３及び６４、後側の仕切板３７又は後側板３６の前隆起部８７、並びに前側の仕切板３７又は前側板３５の後隆起部７７を、それぞれ内側へ僅かに突出させている。  
【０１１３】
さらに下部フレーム３１は、リジェクトカセット装填空間３１ＳＲを上側から見下ろした様子を表す図１４Ａに示すように、下支持部１２７と、位置決め突起１２４、１２５及び１２６とを、内側へ大きく突出させた状態となっている。また下部フレーム３１には、リジェクトカセット装填空間３１ＳＲの前側、後側、左側及び右側となる部分に、左側板３３の隆起部４７等と同様に構成された複数の隆起部１２９が適宜設けられている。この隆起部１２９は、隆起部４７等と同様、リジェクトカセット装填空間３１ＳＲの内側へ僅かに突出している。
【０１１４】
［４．紙幣カセットの構成及び装填］
［４−１．紙幣カセットの外観構成］
次に、紙幣カセット１７について説明する。図１５Ａ及び１５Ｂに示すように、紙幣カセット１７は、外側部分（すなわち外形）を形成するカセット筐体１３０を中心に構成されている。カセット筐体１３０は、全体として、上下方向に長く前後方向に比較的短い直方体状に形成されている。因みにカセット筐体１３０は、例えば所定の樹脂材料による成型部品を複数組み合わせることにより構成されている。
【０１１５】
カセット筐体１３０における前後方向及び左右方向の長さは、紙幣カセット装填空間３１ＳＢ（図５Ｂ）よりもそれぞれ僅かに短くなっている。その一方で、カセット筐体１３０における上下方向の長さは、右側板３４よりも長くなっている（図５Ａ）。
【０１１６】
カセット筐体１３０の上面における後寄りの位置には、紙幣を受け渡す受渡部１３１が設けられている。受渡部１３１には、左右方向を長手方向とする細長いスリット状の挿通孔１３１Ｈが設けられている。受渡部１３１は、紙幣の長手方向を左右に向け、且つ紙面を前後に向けた状態で、当該紙幣を上下方向へ進行させ、カセット筐体１３０の内外間で移動させる。因みに受渡部１３１は、紙幣カセット１７が装填された下部フレーム３１が金庫筐体３０内に収納されたときに（図２）、該金庫筐体３０に設けられた通過孔を介して、その上側に位置する搬送部１４との間で紙幣を受け渡すようになっている。
【０１１７】
またカセット筐体１３０の上面における前寄りには、前側及び左右両側の外周に沿うような窪みが形成されており、この窪みにはまるようにして、取手１３２が取り付けられている。取手１３２は、前側に位置し左右方向に沿った部分と、左右両側に位置しそれぞれ前後方向に沿った部分とにより、全体として英文字の「Ｕ」を描く形状に形成されている。
【０１１８】
また取手１３２は、左右両側の部分における後端近傍において、所定の回動軸を介してカセット筐体１３０に取り付けられている。このため取手１３２は、非使用時にはカセット筐体１３０の窪みに収納される一方、使用時には作業者等によって後上方へ回動されることにより、左右方向に沿った部分が該カセット筐体１３０からやや引き離され、この作業者等に容易に把持させることができる。
【０１１９】
カセット筐体１３０の前面には、前扉１３３が設けられている。この前扉１３３は、右端近傍に設けられた蝶番を軸として回動することにより開閉し得るようになっている。カセット筐体１３０は、この前扉１３３が開放されることにより、その内部に形成された収納空間１３０Ｓへのアクセスを可能とする。またカセット筐体１３０は、前扉１３３が閉塞されることにより、外部からの内部空間へのアクセスを禁止する。
【０１２０】
また前扉１３３には、所定の鍵により解錠可能な錠１３３Ｌが設けられている。カセット筐体１３０は、前扉１３３が閉塞された状態で錠１３３Ｌが施錠されることにより、この前扉１３３の開放を禁止し、この錠１３３Ｌが解錠された場合にのみ、前扉１３３の開放を許容する。
【０１２１】
カセット筐体１３０の後面における下側の右寄り及び左寄りには、該カセット筐体１３０の一部がそれぞれ直方体状にえぐられることにより、該カセット筐体１３０の表面よりも内側に凹んだ左下凹部１３４及び右下凹部１３５が設けられている。因みに左下凹部１３４及び右下凹部１３５は、天井面１３６及び１３７における互いの高さ（すなわち上下方向に関する位置）が同等に揃えられている。
【０１２２】
左下凹部１３４の天井面１３６には、位置決め孔１３８が設けられている。第１のカセット側位置決め部としての位置決め孔１３８は、その孔径が、下部フレーム３１に設けられた位置決めピン９５の外径よりも僅かに大きくなっている。また右下凹部１３５の天井面１３７には、カセット側コネクタ１３９が埋め込まれている。このカセット側コネクタ１３９は、下部フレーム３１に設けられた装填部側コネクタ９８（図１１及び図１２）と嵌合し得る形状に構成されており、また複数の接続端子が組み込まれている。
【０１２３】
さらにカセット筐体１３０の右側面には、前後方向の中央よりもやや後寄りにおける下端から約２／３の範囲に、位置決め溝１４０が形成されている。第２のカセット側位置決め部としての位置決め溝１４０は、周囲よりも内側（すなわち左側）へ窪んでおり、上下方向に沿って直線状に形成されている。この位置決め溝１４０における前後方向の長さ、すなわち溝幅は、下部フレーム３１の右内側板３８（図９Ａ）に設けられた位置決め突部６２における前後方向の長さよりも、僅かに長くなっている。
【０１２４】
カセット筐体１３０の前側面及び前扉１３３の前面には、左右方向に互いに離れた３箇所に、周囲よりも僅かに前方へ突出した前当接リブ１４１が設けられている。この前当接リブ１４１は、カセット筐体１３０の上端近傍から下端近傍までの範囲に渡って形成されており、左右方向の長さが極めて短くなっている。
【０１２５】
カセット筐体１３０の後側面には、前側面と同様、左右方向に互いに離れた３箇所に、前当接リブ１４１と同様の後当接リブ１４２が設けられている。後当接リブ１４２のうち右側の１本は、カセット筐体１３０の上端近傍から右下凹部１３５の上端までの範囲に渡って形成され、他の２本は該カセット筐体１３０の上端近傍から下端近傍までの範囲に渡って形成されている。
【０１２６】
カセット筐体１３０の左側面には、前後方向に互いに離れた２箇所に、上端近傍から下端近傍までの範囲に渡り、前当接リブ１４１と同様の左当接リブ１４３が設けられている。またカセット筐体１３０の右側面には、やはり前後方向に互いに離れた２箇所に、上端近傍から下端近傍までの範囲に渡り、前当接リブ１４１と同様の右当接リブ１４４が設けられている。
【０１２７】
すなわち紙幣カセット１７は、図１３Ｂに示すように、上側から見た場合、前当接リブ１４１、後当接リブ１４２、左当接リブ１４３及び右当接リブ１４４（以下これらをまとめて当接リブ群と呼ぶ）を、カセット筐体１３０の外周面よりも僅かずつ外方へ突出させている。
【０１２８】
［４−２．紙幣カセットの内部構成］
ところで紙幣カセット１７は、図１６に模式的な左側面図を示すように、カセット筐体１３０の内部における前寄りの部分に、紙幣を収納するための空間である収納空間１３０Ｓを有している。収納空間１３０Ｓは、上下方向に長い直方体状に形成されており、例えば３０００枚のような大量の紙幣を集積して収納し得る。また収納空間１３０Ｓ内には、上下方向に薄い板状のステージ１５１が設けられている。ステージ１５１は、その上面に紙幣を載置し得るようになっており、また図示しないステージ移動機構によって上下方向へ移動される。
【０１２９】
さらに、カセット筐体１３０内における、収納空間１３０Ｓの上側から後側に渡る範囲には、紙幣の繰出及び取込を行うための分離集積部１５２が設けられている。分離集積部１５２は、紙幣を案内するガイドや複数のローラ、及び羽根車等により構成されており、図示しないモータからの駆動力により各ローラや羽根車等を適宜回転させるようになっている。
【０１３０】
例えば分離集積部１５２は、受渡部１３１において搬送部１４（図２）から紙幣を受け取った場合、この紙幣を前下方へ搬送して収納空間１３０Ｓ内へ放出し、羽根車により下方へ叩き付けることにより、ステージ１５１上に集積する。また分離集積部１５２は、ステージ１５１が上方へ移動され、集積されている紙幣の最上面が上方のローラに押し付けられた状態で、各ローラを適宜回転させることにより、この紙幣を１枚ずつに分離しながら後上方へ搬送し、受渡部１３１から搬送部１４（図２）へ引き渡す。
【０１３１】
［４−３．紙幣カセットの装填］
紙幣カセット１７は、下部フレーム３１（図５Ａ、５Ｂ）の紙幣カセット装填空間３１ＳＢに装填される場合、作業者等によって該紙幣カセット装填空間３１ＳＢのほぼ真上に位置された状態から徐々に下降されることにより、下側から該紙幣カセット装填空間３１ＳＢの内部へ装填されていく。
【０１３２】
このとき紙幣カセット１７は、図１３Ａ及び１３Ｂと対応する図１３Ｃに示すように、まず当接リブ群の前当接リブ１４１等を、下部フレーム３１の後隆起部７７等に近接若しくは当接させることにより、紙幣カセット装填空間３１ＳＢに対する前後方向及び左右方向の位置が概ね合わされる。また紙幣カセット１７は、位置決め溝１４０に右内側板３８の位置決め突部６２が入り込むこと、すなわち位置決め突部６２及び位置決め溝１４０が互いに係合することにより、右側面近傍における下部フレーム３１に対する前後方向の位置が高精度に合わされる。
【０１３３】
このとき紙幣カセット１７は、前後左右の各側面において、下部フレーム３１側と当接する箇所が、前当接リブ１４１等の当接リブ群のみとなる。このため紙幣カセット１７は、下部フレーム３１の紙幣カセット装填空間３１ＳＢに対する装脱において、各側面における平板状の広い部分に擦り傷等を形成する可能性が極めて低く、美観を損なうことが無い。また下部フレーム３１では、前後左右の各内側面において、紙幣カセット１７と当接するのが、隆起部４７、後隆起部７７、前隆起部８７並びに当接突部６３及び６４のみとなる。これにより下部フレーム３１は、紙幣カセット１７と同様、該紙幣カセット１７の装脱に伴い、各側板における平板状の広い部分に擦り傷等を形成する可能性が極めて低く、美観を損なうことが無い。
【０１３４】
紙幣カセット１７は、さらに下降されることにより、下部フレーム３１側の左下支持部９１及び右下支持部９２を左下凹部１３４及び右下凹部１３５にそれぞれ入り込ませていく。やがて紙幣カセット１７は、位置決めピン９５を位置決め孔１３８に挿入させることにより、すなわち位置決めピン９５を位置決め孔１３８に係合させることにより、左側部分における下部フレーム３１に対する前後方向及び左右方向の位置が高精度に合わせられる。
【０１３５】
やがて紙幣カセット１７は、図１７に模式的な後面図を示すように、左下凹部１３４の天井面１３６を左下支持部９１の上面部９３に当接させると共に、右下凹部１３５の天井面１３７を右下支持部９２の上面部９６に当接させる。これにより紙幣カセット１７は、その下端を下部フレーム３１の下端よりも下方へ突き出した状態で、その荷重が左下支持部９１及び右下支持部９２により支持されることになる。
【０１３６】
因みに紙幣カセット１７は、その重心よりも後側に位置する左下凹部１３４の天井面１３６及び右下凹部１３５の天井面１３７においてのみ下側から支持されるため、上側部分を前方へ傾斜させる力が作用する。しかしながら紙幣カセット１７は、上下方向に長い位置決め突部６２が上下方向に長い位置決め溝１４０に入り込んでいるため、この力による傾斜を防ぎ、その上面をほぼ真上に向けた姿勢を維持できる。
【０１３７】
また紙幣カセット１７は、このときカセット側コネクタ１３９を下部フレーム３１側における装填部側コネクタ９８と嵌合させ、互いの端子群を電気的に接続させる。これにより紙幣カセット１７は、下部フレーム３１側から電力の供給を受けることができ、また紙幣制御部１２（図２）等との間で種々の電気信号を送受信することができる。
【０１３８】
因みに紙幣カセット１７は、下部フレーム３１の紙幣カセット装填空間３１ＳＢに装填された場合、その重心１７Ｇが補強部４２等よりも低い位置となる。
【０１３９】
［５．リジェクトカセットの構成及び装填］
次に、リジェクトカセット１８について説明する。図１５Ａ及び１５Ｂと対応する図１８Ａ及び１８Ｂに示すように、リジェクトカセット１８は、紙幣カセット１７と比較して、概ね類似した構成となっているものの、一部において相違した構成となっている。
【０１４０】
具体的にリジェクトカセット１８は、紙幣カセット１７のカセット筐体１３０、受渡部１３１、挿通孔１３１Ｈ、取手１３２、前扉１３３、錠１３３Ｌとそれぞれ対応するカセット筐体１６０、受渡部１６１、挿通孔１６１Ｈ、取手１６２、前扉１６３、錠１６３Ｌを有している。因みに取手１６２は、取手１３２と前後対称に構成されている。
【０１４１】
カセット筐体１６０は、カセット筐体１３０と比較して、左右方向の長さがほぼ同等である一方、前後方向の長さが約１／２程度であり、また上下方向の長さが３／４〜４／５程度となっている。因みにカセット筐体１６０における前後方向及び左右方向の長さは、リジェクトカセット装填空間３１ＳＲ（図５Ｂ）よりもそれぞれ僅かに短くなっている。その一方で、カセット筐体１６０における上下方向の長さは、右側板３４よりも長くなっている（図５Ａ）。
【０１４２】
またカセット筐体１６０の後面における下側の中央付近には、該カセット筐体１６０の一部が直方体状にえぐられることにより、紙幣カセット１７の左下凹部１３４及び右下凹部１３５に代わる下凹部１６４が設けられている。下凹部１６４の天井面１６５には、カセット側コネクタ１３９と対応するカセット側コネクタ１６６が埋め込まれている。このカセット側コネクタ１６６は、下部フレーム３１に設けられた装填部側コネクタ１２８（図５Ｂ及び図１４Ａ）と嵌合し得る形状に構成されており、また複数の接続端子が組み込まれている。
【０１４３】
さらにカセット筐体１６０の左側面及び右側面には、後寄りにおける下端から約２／３の範囲に、位置決め溝１４０（図１５Ａ、１５Ｂ）と対応する位置決め溝１６７及び１６８がそれぞれ形成されている。位置決め溝１６７及び１６８は、それぞれ周囲よりも内側（すなわち右側又は左側）へ窪んでおり、上下方向に沿って直線状に形成されている。この位置決め溝１６７及び１６８における前後方向の長さ、すなわち溝幅は、下部フレーム３１のリジェクト装填部３９（図５Ｂ）に設けられた位置決め突起１２４、１２５及び１２６における前後方向の長さよりも、僅かに長くなっている。
【０１４４】
カセット筐体１６０の前側面、後側面、左側面及び右側面には、カセット筐体１３０の前当接リブ１４１、後当接リブ１４２、左当接リブ１４３及び右当接リブ１４４とそれぞれ対応する前当接リブ１７１、後当接リブ１７２、左当接リブ１７３及び右当接リブ１７４が設けられている。ただしカセット筐体１６０における前当接リブ１７１、後当接リブ１７２、左当接リブ１７３及び右当接リブ１７４それぞれの数や位置及び大きさは、カセット筐体１３０の場合と相違している。
【０１４５】
すなわちリジェクトカセット１８は、図１３Ｂと対応する図１４Ｂに示すように、上側から見た場合、紙幣カセット１７と同様に、前当接リブ１７１、後当接リブ１７２、左当接リブ１７３及び右当接リブ１７４（以下これらをまとめて当接リブ群と呼ぶ）を、カセット筐体１６０の外周面よりも僅かずつ外方へ突出させている。
【０１４６】
このリジェクトカセット１８は、下部フレーム３１（図５Ｂ）のリジェクトカセット装填空間３１ＳＲに装填される場合、紙幣カセット１７の場合と同様、作業者等によって該リジェクトカセット装填空間３１ＳＲのほぼ真上に位置された状態から徐々に下降されていく。このときリジェクトカセット１８は、図１４Ａ及び１４Ｂと対応する図１４Ｃに示すように、まず当接リブ群の前当接リブ１７１等を、下部フレーム３１の各隆起部１２９に近接若しくは当接させることにより、リジェクトカセット装填空間３１ＳＲに対する前後方向及び左右方向の位置が概ね合わされる。
【０１４７】
またリジェクトカセット１８は、位置決め溝１６７及び１６８に位置決め突起１２４、１２５及び１２６がそれぞれ入り込むことにより、左側面近傍及び右側面近傍における下部フレーム３１に対する前後方向の位置が高精度に合わされる。
【０１４８】
具体的にリジェクトカセット１８は、まず右側の位置決め溝１６８に位置決め突起１２４が入り込むことにより、下部フレーム３１に対し右側面近傍における前後方向の位置が合わせられる。次にリジェクトカセット１８は、左側の位置決め溝１６７に位置決め突起１２６が入り込むことにより、下部フレーム３１に対し左側面近傍における前後方向の位置が合わせられる。ここでリジェクトカセット１８は、左右の位置決め溝１６７及び１６８にそれぞれ位置決め突起１２４及び１２６が入り込んでいるため、下部フレーム３１に対し左右方向の位置も合わせられる。さらにリジェクトカセット１８は、右側の位置決め溝１６８に位置決め突起１２５が入り込むことにより、前後方向への傾き、すなわち左右方向に沿った軸を中心とする回転が規制される。
【０１４９】
またリジェクトカセット１８は、紙幣カセット１７の場合と同様、前後左右の各側面において下部フレーム３１側と当接する箇所が、前当接リブ１７１等の当接リブ群のみとなる。このためリジェクトカセット１８は、紙幣カセット１７の場合と同様、その装脱に伴い、各側面や下部フレーム３１側の各部における平板状の広い部分に擦り傷等を形成する可能性が極めて低く、美観を損なうことが無い。
【０１５０】
リジェクトカセット１８は、さらに下降されることにより、下部フレーム３１側の下支持部１２７を下凹部１６４に入り込ませ、やがて紙幣カセット１７について図１７に示した場合と同様に、下凹部１６４の天井面１６５を下支持部１２７の上面に当接させると、その荷重が該下支持部１２７により支持される。
【０１５１】
このときリジェクトカセット１８は、カセット側コネクタ１６６を下部フレーム３１側における装填部側コネクタ１２８と嵌合させ、互いの端子群を電気的に接続させる。これによりリジェクトカセット１８は、下部フレーム３１側から電力の供給を受けることができ、また紙幣制御部１２（図２）等との間で種々の電気信号を送受信することができる。因みにリジェクトカセット１８は、下部フレーム３１側から受け取った電力を図示しないモータに供給することにより、図示しないローラ等を適宜回転させ、紙幣を内部に取り込むことができる。
【０１５２】
［６．効果等］
以上の構成において、現金自動預払機１の紙幣入出金機１０では、下部ユニット１０Ｌにおいて、下部フレーム３１に対し複数の紙幣カセット１７及びリジェクトカセット１８を着脱可能に構成し、且つこれらが装填された下部フレーム３１をスライドレール３２により金庫筐体３０に対し前後方向へスライドさせるようにした。また下部フレーム３１は、紙幣カセット１７及びリジェクトカセット１８が装脱される上面側に加えて下面側も開放し、これらが装填された場合に、その下端近傍を該下部フレーム３１の下端よりも下方へ突出させるようにした（図２、図４、図５Ａ及び図１７）。
【０１５３】
このため紙幣入出金機１０は、下部フレーム３１の各側板を特許文献１のように紙幣カセット１７の下面を支持する位置まで延長すると共に底面板を設ける場合と比較して、前後左右の側板を上下方向に短縮できるので、使用する板金の量を削減して軽量化を図ることができる。これに伴い紙幣入出金機１０では、スライドレール３２として、より耐荷重が小さい、簡素な構成のものを採用することができるので、製造コストを低減でき、装置全体の小型化を図ることもできる。さらに紙幣入出金機１０では、下部フレーム３１の軽量化に伴い、作業者等が該下部フレーム３１をスライドさせる場合に加えるべき力の大きさも低減させることができるので、保守作業等における作業性を向上させることもできる。
【０１５４】
また下部フレーム３１は、左側板３３、右側板３４、前側板３５及び後側板３６を何れも金属板により構成し、且つ適宜屈曲させることにより、それぞれ補強部４２、５２、７２及び８２を形成した（図７Ａ、７Ｂ、図９Ａ〜９Ｃ、図１０Ａ、１０Ｂ及び図１１）。
【０１５５】
この下部フレーム３１は、仮に左側板３３、右側板３４、前側板３５及び後側板３６に補強部を形成しなかった場合、すなわち平板状に構成した場合には、図１９Ａに破線で示すように、各側面に対して外力Ｆ１、Ｆ２、Ｆ３及びＦ４が加えられたときに、大きく撓む可能性があった。これに対し実際の下部フレーム３１は、左側板３３、右側板３４、前側板３５及び後側板３６にそれぞれ補強部を形成したことにより、それぞれの曲げ強度を格段に高めることができ、外力Ｆ１等が加えられたときにも、その形状を維持して撓みの発生を防止できる。
【０１５６】
また下部フレーム３１は、左側板３３に他の部品を取り付けるのでは無く、その一部を屈曲させることにより補強部４２等を形成した。このため紙幣入出金機１０は、下部フレーム３１の部品点数を最小限に抑えながら、組み立てに要する工数も最小限に抑えることができるので、製造コストを低廉に抑えることができる。
【０１５７】
さらに下部フレーム３１は、左後、左前、右後及び右前の４箇所において、互いに隣接する側板同士（例えば左側板３３及び後側板３６等）の間で、互いの補強部同士（例えば補強部４２及び補強部８２）を締結させた（図８Ｂ及び８Ｃ）。また下部フレーム３１は、互いの補強部同士を締結させる場合に、補強部４２における左面部４５及び上面部４４のように、互いに直交する２つの面において、重なっている板金同士をそれぞれリベットＲによりかしめるようにした。
【０１５８】
ここで図２０に示すように、下部フレーム３１と対応する仮想的な下部フレーム２３１を想定する。この仮想的な下部フレーム２３１は、左側板３３における補強部４２の上面部４４と後側板３６における補強部８２の上面部８４とがリベットＲにより固定されていない。このためこの下部フレーム２３１では、後側板３６に対し外力Ｆ５が加えられたときに、破線で示すように、後面部８５に対し左面部８８が屈曲された箇所である屈曲箇所８５Ｌを中心として、左側板３３に対し後側板３６が回動する恐れがある。
【０１５９】
このため下部フレーム２３１では、図１９Ｂに破線で示すように、外部から剪断方向の外力Ｆ６及びＦ７が加えられた場合に、全体として長方形から平行四辺形に遷移するように変形してしまう恐れ、すなわち各紙幣カセット装填空間３１ＳＢを変形させて紙幣カセット１７を正しく装填し得なくなる恐れがあった。
【０１６０】
この点において、実際の下部フレーム３１では、補強部４２の上面部４４及び補強部８２の上面部８４にそれぞれ固定孔４４Ｈ１及び８４Ｈ１を設け、リベットＲを挿通させてかしめるようにした（図８Ｂ及びＣ）。このため下部フレーム３１では、図１９Ｂに示したように剪断方向の外力Ｆ６及びＦ７が加えられたとしても、実線で示した形状を維持できるので、各紙幣カセット装填空間３１ＳＢを変形させること無く、紙幣カセット１７を装填させ得る状態を維持できる。
【０１６１】
また下部フレーム３１では、紙幣カセット装填空間３１ＳＢに紙幣カセット１７が装填された場合の重心１７Ｇよりも高い位置に、補強部４２等を配置した（図１７）。このため下部フレーム３１は、装填された紙幣カセット１７における受渡部１３１から比較的近いところで、補強部４２により該下部フレーム３１全体を補強することができ、振動等が加えられたときの紙幣カセット１７の不要な動き、特に受渡部１３１と搬送部１４（図２）等との位置ずれを効果的に抑制できる。
【０１６２】
さらに下部フレーム３１では、右側板３４の補強部５２に形成される補強空間５２Ｓ（図９Ｂ）内に、装填部側コネクタ９８等と接続される配線材を収容するようにした。このため紙幣入出金機１０は、下部フレーム３１が金庫筐体３０の後方へ引き出されて露出した状態においても、配線材を補強部５２により保護できるので、異物の接触等による該配線材の損傷や切断等を防止できる。
【０１６３】
さらに下部フレーム３１は、装填部側コネクタ９８を紙幣カセット装填空間３１ＳＢ内に設けた（図１３Ａ）。これに応じて紙幣カセット１７は、カセット筐体１３０を概ね直方体状に形成した上で、その一部をえぐるようにして形成された右下凹部１３５の天井面１３７に、カセット側コネクタ１３９を設けた（図１３Ｂ及び図１５Ａ、１５Ｂ）。
【０１６４】
このため紙幣入出金機１０は、紙幣カセット１７におけるカセット筐体１３０よりも外側にカセット側コネクタ１３９を配置する必要が無く、該カセット筐体１３０から外方へ突出した部分を設ける必要が無いため、該カセット筐体１３０を直方体状に形成できる。これにより紙幣入出金機１０では、下部フレーム３１から取り出された紙幣カセット１７が複数まとめて集積される場合に、互いの側面同士を密着させるように整列させ得るため、その収納に要する床面積や容積を最小限に抑え得ると共に、安定的に積み重ねさせることができる。また紙幣入出金機１０では、紙幣カセット１７の体積を抑えることに伴い重量も抑えることができるので、作業者等に運搬させる場合の作業性を向上させることもできる。
【０１６５】
これを他の観点から見ると、紙幣カセット１７は、カセット筐体１３０内において、上側から後側に渡る範囲に分離集積部１５２を設け、比較的前寄りに収納空間１３０Ｓを形成した（図１６）。紙幣カセット１７では、紙幣の大きさや収納すべき枚数に応じて収納空間１３０Ｓの大きさが定められ、この収納空間１３０Ｓに対し分離集積部１５２の位置も定められており、これらの大きさや位置を変更することが困難である。
【０１６６】
このため紙幣カセット１７は、仮にカセット側コネクタ１３９を左右の側面や前面に設ける場合、収納空間１３０Ｓよりも外側に配置することになるため、カセット筐体１３０をさらに拡大する必要があった。また紙幣カセット１７は、仮にカセット側コネクタ１３９を底面に設けた場合、下部フレーム３１側を下方へ延長する必要が生じ、重量の増加に繋がってしまう。
【０１６７】
また、一般に紙幣入出金機１０では、設置場所の制約等により、装置全体の大きさ、例えば前後方向の長さが定められている一方で、内部に収納し得る紙幣の枚数をできるだけ多くしたい、という要望がある。このため紙幣カセット１７においては、下部フレーム３１に対し前後方向に沿って整列配置する、というレイアウトを採用する場合、前後方向の長さをできるだけ短く抑えることにより、下部フレーム３１に対する装填数をできるだけ多く確保することが望ましい。
【０１６８】
そこで紙幣カセット１７は、その後面における分離集積部１５２の下側となる部分に右下凹部１３５を形成し、その天井面１３７にカセット側コネクタ１３９を配置した。これにより紙幣カセット１７は、収納空間１３０Ｓの後側に既に形成されている空間内にカセット側コネクタ１３９を収めることができ、カセット筐体１３０を拡大せずに済む。また紙幣カセット１７は、その下端からある程度上側へ離れた箇所にカセット側コネクタ１３９を配置したことにより、下部フレーム３１側を下方へ延長させる必要が無く、その軽量化に貢献できる。
【０１６９】
その一方で下部フレーム３１では、仕切板３７及び後側板３６の下端近傍に右下支持部９２を設けた（図１１及び図１２）。このため紙幣カセット１７では、右下凹部１３５の高さ、すなわち下端から天井面１３７までの距離を最小限に抑えることができる。これにより紙幣カセット１７では、カセット筐体１３０から右下凹部１３５の形成によりえぐられる部分の容積を最小限に抑えることができ、回路基板や機構部品等、他の部品を収容するための十分な空間を確保できる。
【０１７０】
また紙幣カセット１７は、右下凹部１３５に対し左右方向の反対側となる箇所に左下凹部１３４を設け、その天井面１３６に位置決め孔１３８を設けた。このため紙幣カセット１７は、紙幣カセット装填空間３１ＳＢに装填された場合に、左下凹部１３４及び右下凹部１３５の天井面１３６及び１３８を左下支持部９１及び右下支持部９２の上面部９３及び９６とそれぞれ当接させ、これらにより支持させることができる。このとき紙幣カセット１７は、左右方向に関して重心を挟んだ両側から支持されるため、左右方向へのふらつきを防止でき、受渡部１３１及び搬送部１４（図２）の間で紙幣を安定的に受け渡すことができる。
【０１７１】
さらに紙幣カセット１７は、左下支持部９１の位置決めピン９５を位置決め孔１３８に挿入させると共に、右側面に設けた位置決め溝１４０に右内側板３８の位置決め突部６２を入り込ませることにより（図１３Ａ〜１３Ｃ）、紙幣カセット装填空間３１ＳＢに対する前後方向及び左右方向の位置を高精度に規定でき、且つ前方向への傾斜を効果的に防止できる。
【０１７２】
以上の構成によれば、現金自動預払機１の紙幣入出金機１０は、下部フレーム３１の上面及び下面を開放し、紙幣カセット装填空間３１ＳＢ内に装填部側コネクタ９８を配置した。これにより紙幣入出金機１０は、従来よりも下部フレーム３１における前後左右の側板を上下方向に短縮できるので、重量を軽減でき、部品の簡素化や操作性の向上を図ることができる。また紙幣入出金機１０は、紙幣カセット１７において、カセット筐体１３０の外側に突出部分を設ける必要が無く、該カセット筐体１３０を直方体状に形成できるので、その構成を簡素化でき、作業者等に容易に取り扱わせることができる。
【０１７３】
［７．他の実施の形態］
なお上述した実施の形態においては、図１５Ｂに示すように、紙幣カセット１７の後面に左下凹部１３４及び右下凹部１３５を形成し、図１７に示すように、左下凹部１３４の天井面１３６に設けた位置決め孔１３８及び右下凹部１３５の天井面１３７に設けたカセット側コネクタ１３９が、それぞれ仕切板３７の側面に設けた位置決めピン９５及び装填部側コネクタ９８（図１２）と勘合することで紙幣カセット１７を保持（宙吊り）している。この場合、紙幣カセット１７の重心よりも後方下側で位置決めピン９５及び装填部側コネクタ９８と勘合することとなる。そのため、紙幣カセット１７が重心から時計回りの方向、すなわち前方側へ傾く可能性がある。そこで、図２６、図２８Ａ、及び図２８Ｂに示すように、紙幣カセット１７の側面である前扉１３３に、仕切板３７と当接する当て面８３０を形成して紙幣カセット１７の収納位置を規制するようにしても良い。紙幣カセット１７を受渡口（受渡部１３１）に近い位置で位置決めをした方が精度が出るため、当て面８３０は、仕切板３７の上端と当接する位置に形成しても良い。また、仕切板３７等を含む下部フレーム３１の製造誤差による影響を小さくするために、紙幣カセット１７の前面における左右方向の両端に当て面８３０を形成しても良い。なお、当て面８３０は、仕切板３７と当接する平面部８３１と、紙幣カセット１７の前面側から平面部８３１の上下方向端部に向かって傾斜する傾斜面部８３２とを有するテーパ形状とし、図２７に示すように、側面視断面において台形状となるよう形成しても良い。この場合、当て面８３０の平面部８３１が仕切板３７と当接して紙幣カセット１７を位置決めすると共に、平面部８３１の上下方向端部に傾斜面部８３２を設けることにより仕切板３７の上端面との衝突を避けることができる。このような当て面８３０を紙幣カセット１７の前扉１３３側に形成することにより、紙幣カセット１７が傾くことを防ぎ、紙幣カセット１７の受渡口（受渡部１３１）と搬送路の受渡口との位置決めを高い精度で行うことができる。
【０１７４】
なお上述した実施の形態においては、下部フレーム３１において補強部４２等を締結する場合に、例えば左面部及び上面部のように、互いに直交する２つの面において、リベットＲにより板金同士をかしめる場合について述べた（図８Ｂ及び８Ｃ）。しかしながら本発明はこれに限らず、例えば図２１Ａ及び２１Ｂに示す左側板３３３及び後側板３３６のように、下部フレーム３１の左後部分において、下面部３４６及び３８６に固定孔３４６Ｈ１及び３８６Ｈ１をそれぞれ追加し、両者に挿通させたリベットＲ（図示せず）をかしめるようにしても良い。これにより、下部フレーム３１の剪断方向の外力（図１９Ｂ及び図２０）に対する強度をさらに高めることができる。特にこの場合、上側の固定孔４４Ｈ１及び８４Ｈ１に対し、ほぼ真下となる位置に下側の固定孔３４６Ｈ１及び３８６Ｈ１をそれぞれ設けることにより、剪断方向の外力が加わった場合に、上下のリベットＲにほぼ均等に力を分散でき、外力に対する耐久性をより高めることができる。下部フレーム３１の左前部分等、他の締結部分についても同様である。
【０１７５】
また上述した実施の形態においては、後側板３６の補強部８２において後面部８５の左端から前方へ向けて左面部８８を垂設する場合について述べた（図１１Ａ）。しかしながら本発明はこれに限らず、例えば図２２Ａに示すように、後側板３６と対応する後側板４３６の上面部４８４における左端から下方へ向けて上左面部４８８を垂設すると共に、下面部４８６における左端から上方へ向けて下左面部４８９を垂設しても良い。この場合、上左面部４８８及び下左面部４８９に位置決め突起４８８Ｐ１及び４８８Ｐ２並びに固定孔４８８Ｈ１をそれぞれ設ければ良い。この場合、締結後に剪断方向の力（図２０及び図１９Ｂ）が作用したとしても、屈曲箇所４８４Ｌが前後方向に沿ってある程度の長さを有するため、この範囲に力を分散して受け止めることができる。またこの場合、屈曲箇所４８４Ｌの強度が十分であれば、上面部のリベットＲや固定孔８４Ｈ１等を省略しても良い。さらには、例えば図２２Ｂに示すように、下左面部４８９を上方へ延長してその一部を上左面部４８８に重ねると共に、重なった部分にも固定孔を穿設し、両者にリベットＲを挿通してかしめるようにしても良い。この場合、上側の屈曲箇所４８４Ｌに加えて下側の屈曲箇所４８６Ｌによっても剪断方向の力を受け止めることができる。下部フレーム３１の左前部分等、他の締結部分についても同様である。
【０１７６】
さらに上述した実施の形態においては、左側板３３の補強部４２における左面部４５に固定孔４５Ｈ１並びに位置決め孔４５Ｈ２及び４５Ｈ３を設けると共に、後側板３６の補強部８２における左面部８８に固定孔８８Ｈ１並びに位置決め突起８８Ｐ１及び８８Ｐ２を設ける場合について述べた（図８Ａ及び図１１Ａ）。しかしながら本発明はこれに限らず、例えば図２３Ａ及び２３Ｂに示すように、左側板５３３の補強部５４２における上面部５４４に固定孔５４４Ｈ１並びに位置決め孔５４４Ｈ２及び５４４Ｈ３を設けると共に、後側板５３６の補強部５８２における上面部５８４に固定孔５８４Ｈ１並びに位置決め突起５８４Ｐ１及び５８４Ｐ２を設けても良い。この場合、両者を締結することにより、下部フレーム３１の剪断方向の外力（図１９Ｂ及び図２０）に対する強度を十分に高めることができる。またこの場合、左面部等の他の面においてリベットＲによる固定を行わなくても良い。さらに、補強部４２等の上面部に限らず、下面部に設けても良い。下部フレーム３１の左前部分等、他の締結部分についても同様である。
【０１７７】
さらに上述した実施の形態においては、補強部同士を締結する箇所において、互いの補強部の高さをほぼ同等に揃えて、上面部同士及び下面部同士をそれぞれ重ねた状態で締結する場合について述べた（図８Ａ及び８Ｂ、図１１Ａ）。しかしながら本発明はこれに限らず、例えば図２４に示す左側板６３３及び後側板６３６のように、補強部６４２よりも高い位置に補強部６８２を設け、該補強部６４２の上面部６４４と該補強部６８２の下面部６８６とを重ねて締結しても良い。或いは、これと反対に、補強部６４２よりも低い位置に補強部６８２を設けても良い。下部フレーム３１の左前部分等、他の締結部分についても同様である。
【０１７８】
さらに上述した実施の形態においては、補強部同士を締結する箇所において、一方の補強部（例えば左側板３３の補強部４２）が他方の補強部（例えば後側板３６の補強部８２）を外側から覆うようにして、リベットＲにより固定する板金同士を重ねる場合について述べた（図８Ａ、８Ｂ及び図１１Ａ）。しかしながら本発明はこれに限らず、例えば図２５Ａ及び２５Ｂに示す左側板７３３及び後側板７３６のように、補強部７８２における上面部７８４の上側及び下面部７８６の上側に、それぞれ位置決め突起を上方へ突出させても良い。この場合、補強部７４２の上面部７４４を補強部７８２の上面部７８４の上側に重ねると共に、補強部７４２の下面部７４６を補強部７８２の下面部７８６の上側に重ねるようにして、各位置決め突起を各位置決め孔に挿入させ、それぞれをリベットＲによりかしめれば良い。これにより、補強部同士を、図２３Ａ、２３Ｂに示した場合と同等以上に強固に締結することができる。さらにこの場合、上面部又は下面部のいずれかのみに位置決め突起及び位置決め孔を設けてリベットＲによりかしめても良い。下部フレーム３１の左前部分等、他の締結部分についても同様である。
【０１７９】
さらに上述した実施の形態においては、下部フレーム３１において、紙幣カセット装填空間３１ＳＢに装填された紙幣カセット１７の重心１７Ｇよりも高い位置に補強部４２等を配置する場合について述べた（図１７）。しかしながら本発明はこれに限らず、例えば紙幣カセット装填空間３１ＳＢに装填された紙幣カセット１７の重心１７Ｇよりも低い位置に補強部４２等を配置しても良い。
【０１８０】
さらに上述した実施の形態においては、下部フレーム３１における左側板３３の補強部４２等を、断面形状が長方形状となるように形成する場合について述べた（図７Ａ、７Ｂ、図９Ａ〜９Ｃ及び図１０Ａ、１０Ｂ）。しかしながら本発明はこれに限らず、その断面形状を、例えば三角形状等の多角形状、或いは半円状や半楕円状等のように、種々の形状としても良い。これらの場合、補強部同士を締結する部分においては、左面部８８（図１１Ａ）のように、板金同士を重ねるための部分を延設しても良い。さらには、各側板において補強部の断面形状を相違させても良い。
【０１８１】
さらに上述した実施の形態においては、右側板３４の補強部５２における上面部５４の長さＬ５４（図９Ｃ）を左側板３３の補強部４２における上面部４４の長さＬ４４（図７Ｂ）よりも長くする等、各補強部における各側板から突出する長さを互いに相違させる場合について述べた。しかしながら本発明はこれに限らず、例えば各補強部における各側板から突出する長さを同等に揃えても良い。また、１個の側板における補強部において、各側板から突出する長さを部分ごとに相違させても良い。
【０１８２】
さらに上述した実施の形態においては、下部フレーム３１における左側板３３の補強部４２等を、水平方向に沿った直線状に形成する場合について述べた（図６等）。しかしながら本発明はこれに限らず、例えば後側板３６の補強部８２を、左端よりも右端が高くなるように傾斜させても良く、或いは後側から見て曲線状に湾曲させる等、種々の形状に形成しても良い。他の補強部についても同様である。この場合、例えば金属板に対しプレス加工等の加工技術を施すことにより、湾曲した補強部等を形成できる。
【０１８３】
さらに上述した実施の形態においては、左側板３３等の各側板に補強部４２等を１箇所ずつ形成する場合について述べた。しかしながら本発明はこれに限らず、例えば各側板に２箇所以上の補強部を設けても良い。この場合、各側板に補強部を増設することにより、各側面の撓みに対する強度を高めることができ（図１９Ａ）、さらに補強部同士の締結箇所を増加させることにより、剪断に対する強度を高めることができる（図１９Ｂ）。
【０１８４】
さらに上述した実施の形態においては、例えば左側板３３における上板状部４１及び下板状部４３よりも左側に、すなわち紙幣カセット装填空間３１ＳＢと反対側に突出する位置、或いは外方に、補強部４２等を設ける場合について述べた（図５Ｂ等）。しかしながら本発明はこれに限らず、一部又は全部の側板において、上板状部等に対し、紙幣カセット装填空間３１ＳＢと同じ側に、すなわち内方に、補強部を設けても良い。
【０１８５】
さらに上述した実施の形態においては、リベットＲにより補強部の板金同士を締結する場合について述べた（図８Ｂ及び８Ｃ）。しかしながら本発明はこれに限らず、例えばねじにより補強部の板金同士を固定しても良い。この場合、保守作業等において容易に分解し、また容易に再度組み立てることができる。或いは、例えば溶接により補強部の板金同士を固定しても良い。この場合、リベットＲが不要となるため、部品点数を削減できる。
【０１８６】
さらに上述した実施の形態においては、位置決め突起８８Ｐ１等を位置決め孔４５Ｈ２等に挿通させると共に、固定孔４５Ｈ１及び８８Ｈ１にリベットＲを挿通させてかしめることにより、補強部４２及び８２を締結する場合について述べた（図８Ａ〜８Ｃ及び図１１Ａ）。しかしながら本発明はこれに限らず、例えばリベットＲにより十分な位置精度を確保できる場合に、位置決め突起及び位置決め孔を省略しても良い。
【０１８７】
さらに上述した実施の形態においては、補強部同士を締結する部分において、外側（例えば左側板３３の補強部４２側）に位置決め孔４５Ｈ２等を設け、内側（例えば後側板３６の補強部８２側）に位置決め突起８８Ｐ１等を設ける場合について述べた（図８Ａ及び図１１Ａ）。しかしながら本発明はこれに限らず、例えば外側に位置する左側板３３側に内側へ向けて突出した位置決め突起を設けると共に、内側に位置する後側板３６側に位置決め孔を設けても良い。
【０１８８】
さらに上述した実施の形態においては、補強部同士を締結する部分において、一方の位置決め孔４５Ｈ２を丸孔とし、他方の位置決め孔４５Ｈ３を角孔、すなわち長方形状の孔とする場合について述べた（図８Ａ）。しかしながら本発明はこれに限らず、例えば位置決め孔４５Ｈ２を正方形や六角形等、種々の形状の孔としても良い。この場合、位置決め突起８８Ｐ１における前後方向及び上下方向への移動を規制できれば良い。或いは、他方の位置決め孔４５Ｈ３を長孔、すなわち長方形における互いに対向する２辺を円弧状に湾曲させた形状等、他の種々の形状としても良い。要は、位置決め孔４５Ｈ２を中心とした回転方向の動きを規制できれば良い。
【０１８９】
さらに上述した実施の形態においては、補強部同士を締結する部分において、位置決め突起８８Ｐ１及び８８Ｐ２を、何れも短い円柱状とする場合について述べた（図１１Ａ）。しかしながら本発明はこれに限らず、例えば短い四角柱状や短い六角柱状等、種々の形状であっても良い。また、位置決め突起８８Ｐ１及び８８Ｐ２の形状を互いに相違させても良い。
【０１９０】
さらに上述した実施の形態においては、左側板３３等を金属製の板状材料により構成し、この板状材料を屈曲させることにより補強部を形成する場合について述べた。しかしながら本発明はこれに限らず、例えば左側板３３に対し、前後方向に沿った棒状の部材を取り付けることにより、補強部を形成しても良い。
【０１９１】
さらに上述した実施の形態においては、左側板３３、右側板３４、前側板３５及び後側板３６により、５箇所の紙幣カセット装填空間３１ＳＢをまとめて囲んだ空間を形成し、この空間を４枚の仕切板３７により区切る場合について述べた（図５Ｂ）。しかしながら本発明はこれに限らず、例えば補強部を有する４枚の側板により１箇所の紙幣カセット装填空間３１ＳＢを囲み、これを前後方向に５個連結することにより、５箇所の紙幣カセット装填空間３１ＳＢを形成しても良い。
【０１９２】
さらに上述した実施の形態においては、紙幣カセット１７の後面側にカセット側コネクタ１３９を設けると共に、紙幣カセット装填空間３１ＳＢにおける後側に装填部側コネクタ９８を設ける場合について述べた（図１３Ａ〜１３Ｃ）。しかしながら本発明はこれに限らず、例えば紙幣カセット１７の側面側や前面側にカセット側コネクタ１３９を設け、紙幣カセット装填空間３１ＳＢにおいてこれと対応する位置に装填部側コネクタ９８を設けても良い。この場合、紙幣カセット１７のカセット筐体１３０内において、収納空間１３０Ｓと干渉しない位置にカセット側コネクタ１３９を設ければ良い（図１６）。
【０１９３】
さらに上述した実施の形態においては、紙幣カセット装填空間３１ＳＢにおける右後側に右下支持部９２を配置して装填部側コネクタ９８を設けると共に、左後側に左下支持部９１を配置して位置決めピン９５を設ける場合について述べた（図１１、図１２及び図１３Ａ〜１３Ｃ）。しかしながら本発明はこれに限らず、例えば右下支持部９２における装填部側コネクタ９８の右側や左側に位置決めピン９５を設けても良い。この場合、左下支持部９１及び紙幣カセット１７側の左下凹部１３４を省略しても良い。或いは、左下支持部９１の位置決めピン９５に加えて、装填部側コネクタ９８の近傍に他の位置決めピンを追加しても良い。
【０１９４】
さらに上述した実施の形態においては、下部フレーム３１の右内側板３８に位置決め突部６２を設けると共に紙幣カセット１７の右側面に位置決め溝１４０を設け、両者の組合せにより該紙幣カセット１７の位置決めを行う場合について述べた（図９Ａ〜９Ｃ、図１３Ａ〜１３Ｃ及び図１５Ａ、１５Ｂ）。しかしながら本発明はこれに限らず、例えば紙幣カセット１７の左側面や前側面に位置決め溝を設け、下部フレームにおけるこれと対応する位置に位置決め突部を設けても良い。また、紙幣カセット１７側に位置決め突部を設けると共に下部フレーム３１側に位置決め溝を設けても良い。さらには、上下方向に沿った位置決め突部６２に代えて、リジェクト装填部３９における位置決め突起１２４等のように、短い円柱状の突起を１個以上設けても良い。或いは、例えば位置決めピン９５により十分な位置精度を確保できる場合等に、位置決め突部６２及び位置決め溝１４０を省略しても良い。
【０１９５】
さらに上述した実施の形態においては、左下支持部９１及び右下支持部９２を後側板３６及び仕切板３７の下端近傍に配置する場合について述べた（図１１及び図１２）。しかしながら本発明はこれに限らず、例えば後側板３６の下端よりもやや上側に左下支持部９１及び右下支持部９２を設けても良い。また、左下支持部９１及び右下支持部９２の高さを互いに相違させても良い。これらの場合、紙幣カセット１７側において、左下支持部９１及び右下支持部９２の高さに応じて、左下凹部１３４及び右下凹部１３５における天井面１３６及び１３８の高さをそれぞれ適切に定めれば良い。
【０１９６】
さらに上述した実施の形態においては、前側板３５の前側にリジェクト装填部３９を設けることにより、リジェクトカセット装填空間３１ＳＲを形成する場合について述べた（図５Ａ、５Ｂ及び図６）。しかしながら本発明はこれに限らず、例えば前側板３５の後側に１枚の仕切板を追加することにより、リジェクトカセット装填空間３１ＳＲを形成しても良い。
【０１９７】
さらに上述した実施の形態においては、下部フレーム３１に５箇所の紙幣カセット装填空間３１ＳＢ及び１箇所のリジェクトカセット装填空間３１ＳＲを設ける場合について述べた（図５Ａ、５Ｂ）。しかしながら本発明はこれに限らず、例えばリジェクトカセット装填空間３１ＳＲを省略し、紙幣カセット装填空間３１ＳＢのみを設けても良い。また紙幣カセット装填空間３１ＳＢの数についても４箇所以下や６箇所以上であっても良い。さらには、他の用途のカセットを装填するための空間を設けても良い。
【０１９８】
さらに上述した実施の形態においては、前側板３５に形成する後隆起部７７のうち最も後側に位置する部分を、平面状に形成し、これを紙幣カセット１７に近接又は当接させる場合について述べた（図１０Ａ、１０Ｂ）。しかしながら本発明はこれに限らず、例えば仕切板３７の上隆起部１０１（図１２）を上下方向に沿わせたような形状とし、上下方向に沿った稜部、すなわち線状の細長い部分を紙幣カセット１７に近接若しくは当接させるようにしても良い。或いは、後隆起部７７を「絞り」又は「深絞り」以外の加工技術、例えばプレス加工等により形成しても良い。後側板３６の前隆起部８７、仕切板３７の後隆起部７７及び前隆起部８７等についても同様である。
【０１９９】
さらに上述した実施の形態においては、下部フレーム３１の右内側板３８（図９Ａ、９Ｃ）を樹脂材料により成型部品として構成する場合について述べた。しかしながら本発明はこれに限らず、例えば金属板を適宜加工することにより右内側板３８を構成しても良い。或いは、右側板３４の下右面部５７を上板状部５１のほぼ真下に位置させ、右内側板３８を省略しても良い。この場合、下右面部５７に対し「絞り」等の加工を施すことにより、位置決め突部６２等を設ければ良い。
【０２００】
さらに上述した実施の形態においては、下部フレーム３１の左側板３３等において、上端を紙幣カセット装填空間３１ＳＢと反対側に折り曲げることにより曲げ部４１Ｂ等を設ける場合について述べた。しかしながら本発明はこれに限らず、例えば該曲げ部４１Ｂを省略しても良い。この場合、例えば左側板３３の上端に位置する金属板の切断面に丸め加工を施し、或いは保護部材を取り付ける等しても良い。要は、作業者の手等が触れた場合に負傷させることや、紙幣カセット１７と接触した場合に損傷させることを防止できれば良い。他の部分についても同様である。
【０２０１】
さらに上述した実施の形態においては、下部フレーム３１において右側板３４の上端よりも左側板３３の上端の方を低く構成することにより、該下部フレーム３１の左側を保守面側とし、右側を非保守面側とする場合について述べた（図５Ｂ）。しかしながら本発明はこれに限らず、例えば実施の形態と左右反対に、すなわち左側板３３の上端よりも右側板３４の上端の方を低く構成することにより、該下部フレーム３１の右側を保守面側とし、左側を非保守面側としても良い。
【０２０２】
さらに上述した実施の形態においては、リジェクトカセット１８（図１８Ａ、１８Ｂ）がカセット側コネクタ１６６を介して装填部側コネクタ１２８から電力の供給を受けて内部のモータ及びローラ（図示せず）を回転させると共に、電気信号を送受信する場合について述べた。しかしながら本発明はこれに限らず、例えばカセット側コネクタ１６６等を介して電力の供給を行わず、電気信号の送受信のみを行うようにしても良い。この場合、例えば下部ユニット１０Ｌ（図２）側における金庫筐体３０内の天井面に所定のモータから駆動力が伝達される本体側ギアを設けると共に、リジェクトカセット１８側の上部に内部のローラ等へ駆動力を伝達するカセット側ギアを設けるようにしても良い。この場合、下部フレーム３１が金庫筐体３０内に収納された状態（図２）において、本体側ギアとカセット側ギアとを相互に噛み合わせることで、下部ユニット１０Ｌ側からリジェクトカセット１８側へ駆動力を伝達し、該リジェクトカセット１８内のローラ等を回転させることができる。特にこの場合、リジェクトカセット１８側にモータや電力供給用の配線及び接続端子等を設ける必要が無いため、該リジェクトカセット１８の簡素化や小型化及び軽量化を図ることができる。紙幣カセット１７についても同様である。
【０２０３】
さらに上述した実施の形態においては、媒体としての紙幣を取り扱う現金自動預払機１に本発明を適用する場合について述べた。しかしながら本発明はこれに限らず、例えば証券や商品券、或いは金券等、種々の紙葉状の媒体を取り扱う種々の装置に適用しても良い。
【０２０４】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【０２０５】
さらに上述した実施の形態においては、収納カセットとしての紙幣カセット１７と、筐体としての金庫筐体３０と、装填部としての下部フレーム３１と、スライドレールとしてのスライドレール３２と、コネクタとしての装填部側コネクタ９８とによって媒体処理装置としての紙幣入出金機１０を構成する場合について述べた。しかしながら本発明はこれに限らず、その他種々の構成でなる収納カセットと、筐体と、装填部と、スライドレールと、コネクタとによって媒体処理装置を構成しても良い。
【産業上の利用可能性】
【０２０６】
本発明の実施形態は、例えば顧客との間で紙幣に関する取引を行う現金自動預払機で利用できる。【０２０７】
日本出願特願２０１５−２５００２８号の開示はその全体が参照により本明細書に取り込まれる。【０２０８】
本明細書に記載された全ての文献、特許出願、および技術規格は、個々の文献、特許出願、および技術規格が参照により取り込まれることが具体的かつ個々に記された場合と同程度に、本明細書中に参照により取り込まれる
【図１】
2017110833.tif 000003
【図２】
2017110833.tif 000004
【図３】
2017110833.tif 000005
【図４】
2017110833.tif 000006
【図５Ａ】
2017110833.tif 000007
【図５Ｂ】
2017110833.tif 000008
【図６】
2017110833.tif 000009
【図７Ａ】
2017110833.tif 000010
【図７Ｂ】
2017110833.tif 000011
【図８Ａ】
2017110833.tif 000012
【図８Ｂ】
2017110833.tif 000013
【図８Ｃ】
2017110833.tif 000014
【図９Ａ】
2017110833.tif 000015
【図９Ｂ】
2017110833.tif 000016
【図９Ｃ】
2017110833.tif 000017
【図１０Ａ】
2017110833.tif 000018
【図１０Ｂ】
2017110833.tif 000019
【図１１】
2017110833.tif 000020
【図１２】
2017110833.tif 000021
【図１３Ａ】
2017110833.tif 000022
【図１３Ｂ】
2017110833.tif 000023
【図１３Ｃ】
2017110833.tif 000024
【図１４Ａ】
2017110833.tif 000025
【図１４Ｂ】
2017110833.tif 000026
【図１４Ｃ】
2017110833.tif 000027
【図１５Ａ】
2017110833.tif 000028
【図１５Ｂ】
2017110833.tif 000029
【図１６】
2017110833.tif 000030
【図１７】
2017110833.tif 000031
【図１８Ａ】
2017110833.tif 000032
【図１８Ｂ】
2017110833.tif 000033
【図１９Ａ】
2017110833.tif 000034
【図１９Ｂ】
2017110833.tif 000035
【図２０】
2017110833.tif 000036
【図２１Ａ】
2017110833.tif 000037
【図２１Ｂ】
2017110833.tif 000038
【図２２Ａ】
2017110833.tif 000039
【図２２Ｂ】
2017110833.tif 000040
【図２３Ａ】
2017110833.tif 000041
【図２３Ｂ】
2017110833.tif 000042
【図２４】
2017110833.tif 000043
【図２５Ａ】
2017110833.tif 000044
【図２５Ｂ】
2017110833.tif 000045
【図２６】
2017110833.tif 000046
【図２７】
2017110833.tif 000047
【図２８Ａ】
2017110833.tif 000048
【図２８Ｂ】
2017110833.tif 000049
【国際調査報告】
2017110833.tif 000050
2017110833.tif 000051
2017110833.tif 000052
2017110833.tif 000053